(57)【要約】  患者インターフェースは、患者の鼻および／または口腔の周囲のシールを形成するように適合されたクッションアセンブリと、患者が呼息したＣＯ２の再呼吸を最小化させるために、患者が呼息したＣＯ２が患者インターフェースの外部へ流れることが可能になるように構成されたガス逃がし孔とを含む。クッションアセンブリにより、使用時において周囲圧力を超える圧力で加圧されるプレナムチャンバが規定される。少なくとも１つの減容部材が、プレナムチャンバの有効内容積を低減させるように、プレナムチャンバ内に設けられる。少なくとも１つの減容部材は、治療圧力を送達するためのプレナムチャンバの主要体積を少なくとも患者の鼻通路への入口の上側に設けられたデッドスペース体積から分離させるように配置される。主要体積は、患者の鼻および／または口腔ならびに孔と直接流体連通するように、適合される。
2018525077.tif 000002
【特許請求の範囲】
【請求項１】
空気流れを周囲空気圧力に対して連続的に陽圧において少なくとも患者の鼻孔入口を含む前記患者の気道への入口へ密閉された様態で送達するための患者インターフェースであって、前記患者インターフェースは、使用時において前記患者の睡眠時の前記患者の呼吸サイクル全体において周囲空気圧力よりも高い約４ｃｍＨ２Ｏ〜約３０ｃｍＨ２Ｏの範囲の治療圧力を維持し、睡眠時呼吸障害が改善されるように構成され；
前記患者インターフェースは：
前記患者の鼻および／または口腔の周囲のシールを形成するように適合されたクッションアセンブリであって、前記クッションアセンブリは、使用時において周囲圧力を超える圧力で加圧されるプレナムチャンバを規定する、クッションアセンブリと；
患者が呼息したＣＯ２の再呼吸を最小化させるために、前記患者が呼息したＣＯ２が前記患者インターフェースの外部へ流れることを可能にするように構成されたガス逃がし孔と；および
前記プレナムチャンバの有効内容積を低減させるように前記プレナムチャンバ内に設けられた少なくとも１つの減容部材と、を含み、
前記少なくとも１つの減容部材は、前記治療圧力を送達するための前記プレナムチャンバの主要体積を少なくとも前記患者の鼻通路への前記入口の上側に設けられたデッドスペース体積から分離するように、配置され、前記主要体積は、前記患者の鼻および／または口腔ならびに前記孔と直接流体連通するように適合される、患者インターフェース。
【請求項２】
前記少なくとも１つの減容部材は、前記患者が再呼吸するＣＯ２の体積を低減させるように配置される、請求項１に記載の患者インターフェース。
【請求項３】
前記少なくとも１つの減容部材は、前記シールを変化させることなく前記プレナムチャンバの有効内容積を低減させるように配置される、請求項１〜２のうちいずれか１つに記載の患者インターフェース。
【請求項４】
前記少なくとも１つの減容部材は、１つ以上の可動フラップを含む、請求項１〜３のうちいずれか１つに記載の患者インターフェース。
【請求項５】
前記１つ以上の可動フラップは、前記プレナムチャンバを主要チャンバと、前記主要チャンバから分離されかつ前記主要チャンバと別個である少なくとも１つの周辺チャンバとに分離または分割し、前記主要チャンバは、前記患者の鼻および／または口腔ならびに前記孔と直接流体連通するように適合される、請求項４に記載の患者インターフェース。
【請求項６】
前記少なくとも１つの周辺チャンバは、前記デッドスペース体積を前記プレナムチャンバ内に含む、請求項５に記載の患者インターフェース。
【請求項７】
前記少なくとも１つの周辺チャンバは、前記主要チャンバから区画される、請求項５〜６のうちいずれか１つに記載の患者インターフェース。
【請求項８】
前記プレナムチャンバの有効内容積は、前記主要チャンバの体積まで低減される、請求項５〜７のうちいずれか１つに記載の患者インターフェース。
【請求項９】
前記１つ以上の可動フラップは、前記患者の鼻通路の概して上方に配置されるように適合された周辺チャンバを確立するように配置された上側可動フラップまたは上部可動フラップを含む、請求項５〜８のうちいずれか１つに記載の患者インターフェース。
【請求項１０】
前記１つ以上の可動フラップは、前記患者の下唇の概して下側に配置されるように適合された周辺チャンバを確立するように配置された下側可動フラップまたは下部可動フラップを含む、請求項５〜９のうちいずれか１つに記載の患者インターフェース。
【請求項１１】
前記可動フラップはそれぞれ、前記患者の顔へ向かって方向付けられるように適合された自由端部を含む、請求項４〜１０のうちいずれか１つに記載の患者インターフェース。
【請求項１２】
前記可動フラップはそれぞれ、比較的可撓性であり、前記可動フラップが前記患者の顔に適合するように変形および／または撓むことを可能にするように適合される、請求項１１に記載の患者インターフェース。
【請求項１３】
前記プレナムチャンバ内の熱／水分交換器をさらに含む、請求項１〜１２のうちいずれか１つに記載の患者インターフェース。
【請求項１４】
前記クッションアセンブリは、前壁部位および密閉形成構造を含む、請求項１〜１３のうちいずれか１つに記載の患者インターフェース。
【請求項１５】
前記前壁部位は前記孔を含む、請求項１４に記載の患者インターフェース。
【請求項１６】
前記少なくとも１つの減容部材は、前記前壁部位へ設けられる、請求項１４〜１５のうちいずれか１つに記載の患者インターフェース。
【請求項１７】
前記少なくとも１つの減容部材は、前記患者の口腔への前記入口の下側へ設けられた不要なデッドスペース体積から前記主要体積を分離させるように配置される、請求項１〜１６のうちいずれか１つに記載の患者インターフェース。
【請求項１８】
前記少なくとも１つの減容部材は、エラストマー材料によって構成される、請求項１〜１７のうちいずれか１つに記載の患者インターフェース。
【請求項１９】
前記少なくとも１つの減容部材により、患者吸気および患者呼気が前記患者の呼吸サイクル全体において前記主要体積を介して発生するように、流れバイアスが生成される、請求項１〜１８のうちいずれか１つに記載の患者インターフェース。
【請求項２０】
前記少なくとも１つの減容部材は、前記患者の呼吸サイクル全体において前記デッドスペース体積から離隔方向に流れをバイアスする、請求項１〜１９のうちいずれか１つに記載の患者インターフェース。
【請求項２１】
前記デッドスペース体積は加圧され、前記クッションアセンブリの空気圧式密閉を提供する、請求項１〜２０のうちいずれか１つに記載の患者インターフェース。
【請求項２２】
前記少なくとも１つの減容部材は、前記主要体積と前記デッドスペース体積との間の流れを塞ぐような構造および配置にされた１つ以上の流れ方向付け部材を含む、請求項１〜２１のうちいずれか１つに記載の患者インターフェース。
【請求項２３】
前記少なくとも１つの減容部材は、前記プレナムチャンバを主要チャンバと、前記主要チャンバから分離されかつ前記主要チャンバと別個である少なくとも１つの周辺チャンバとに分離または分割させ、前記主要チャンバは、前記患者の鼻および／または口腔ならびに前記孔と直接流体連通するように適合される、請求項１〜２２のうちいずれか１つに記載の患者インターフェース。
【請求項２４】
前記少なくとも１つの周辺チャンバの加圧を可能にするように配置された１つ以上の加圧ポートをさらに含む、請求項２３のうちいずれか１つに記載の患者インターフェース。
【請求項２５】
前記プレナムチャンバ内の熱／水分交換器をさらに含み、前記１つ以上の加圧ポートは、前記熱／水分交換器の前側に配置される、請求項２４に記載の患者インターフェース。
【請求項２６】
前記少なくとも１つの減容部材は、前記患者の顔から間隔を空けて配置されるように適合された端部を含む隔壁部材を含む、請求項１に記載の患者インターフェース。
【請求項２７】
前記少なくとも１つの減容部材は、患者の顔と共に密閉を形成するように適合された端部を含む密閉部材を含む、請求項１に記載の患者インターフェース。
【発明の詳細な説明】
【技術分野】
【０００１】
１  関連出願の相互参照
本出願は、２０１５年７月２０日に出願された米国仮出願第６２／１９４、４５１号の恩恵を主張する。本明細書中、同文献それぞれの全体を参考のため援用する。
【背景技術】
【０００２】
２  技術の背景
２．１  技術の分野
本技術は、呼吸関連疾患の検出、診断、治療、防止および改善のうち１つ以上に関する。本技術はまた、医療デバイスまたは装置と、その使用とに関する。
【０００３】
２．２  関連技術の説明
２．２．１  ヒトの呼吸系およびその疾患
身体の呼吸器系は、ガス交換を促進させる。鼻および口腔は、患者の気道への入口を形成する。
【０００４】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸ゾーンと呼ぶ。以下を参照されたい：「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１１。
【０００５】
一定範囲の呼吸疾患が存在している。特定の疾患は、特定の発症（例えば、無呼吸、呼吸低下および過呼吸）によって特徴付けられ得る。
【０００６】
閉塞性睡眠時無呼吸（ＯＳＡ）は、睡眠呼吸障害（ＳＤＢ）の１つの形態であり、睡眠時の上通気道の閉鎖または閉塞などの発症によって特徴付けられる。睡眠時の異常に小さな上側気道および舌領域における筋緊張の正常欠損、軟口蓋および後中咽頭壁の組み合わせに起因する。このような状態に起因して、患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。米国特許第４、９４４、３１０号（Ｓｕｌｌｉｖａｎ）を参照されたい。
【０００７】
チェーン・ストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。ＣＳＲは、低酸素の繰り返しに起因して有害になる可能性がある。患者によっては、ＣＳＲに関連して睡眠から何度も目覚める者もおり、不眠が深刻化し、交感神経作用が増加し、後負荷が増加する。米国特許第６、５３２、９５９号（Ｂｅｒｔｈｏｎ−Ｊｏｎｅｓ）を参照されたい。
【０００８】
呼吸不全とは、呼吸器障害の総称であり、患者の需要を満たすための充分な酸素吸気または充分なＣＯ２呼気を肺が行うことができていないことを指す。呼吸不全は、以下の疾患のうちいくつかまたは全てを包含し得る。
【０００９】
呼吸不全（一種の呼吸不全）の患者は、運動時に異常な息切れを経験することがある。
【００１０】
肥満過換気症候群（ＯＨＳ）は、低換気の原因が他に明確に無い状態における、深刻な肥満および覚醒慢性高炭酸ガス血症の組み合わせとして定義される。症状を挙げると、呼吸困難、起床時の頭痛および日中の過度の眠気がある。
【００１１】
慢性閉塞性肺疾患（ＣＯＰＤ）は、特定の共通する特性を有する下部気道疾患のグループのうちのいずれも包含する。そのような特性を挙げると気動に対する抵抗増加、呼吸の呼気相の増加、および肺の通常の弾性の喪失がある。ＣＯＰＤの実施例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１２】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋肉の弱体化に繋がり、最終的には呼吸不全による死亡に繋がる。神経筋肉障害は、以下の急速進行性と緩徐進行性とに区分され得る：（ｉ）急速進行性障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）可変性または緩徐進行性障害：数年かけて悪化する筋肉障害によって特徴付けられ、平均余命が若干低減するだけである（例えば、肢帯、顔面肩甲上腕型および筋緊張性筋ジストロフィー）。ＮＭＤにおける呼吸不全症状を以下に挙げる：全般的衰弱の増加、嚥下障害、労作および安静時の呼吸困難、疲労、眠気、起床時の頭痛、および集中および気分の変化の困難。
【００１３】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側弯症および／または脊柱後側弯症は、深刻な呼吸不全を引き起こし得る。呼吸不全の症状を以下に挙げる：労作時の呼吸困難、末梢浮腫、起座呼吸、反復性胸部感染症、起床時の頭痛、疲労、睡眠の質の低下、および食欲不振。
このような状態を治療または改善するために、一定範囲の治療が用いられている。さらに、その他の点では健康な個人も、呼吸疾患の予防治療を有利に利用することができる。しかし、これらにおいては、複数の欠陥がある。
【００１４】
２．２．２  治療法
経鼻的持続陽圧呼吸（ＣＰＡＰ）療法が、閉塞性睡眠時無呼吸（ＯＳＡ）の治療において用いられている。その作用機構としては、例えば軟口蓋および舌を押して後中咽頭壁へ前進または後退させることにより、経鼻的持続陽圧呼吸療法が空気スプリントとして機能し、これにより上側気道の閉鎖を回避する。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１５】
非侵襲的換気（ＮＩＶ）は、換気補助を上気道を通じて患者へ提供して、呼吸機能の一部または全体を行うことにより患者の呼吸の補助および／または身体中の適切な酸素レベルの維持を提供する。換気補助が、非侵襲的患者インターフェースを介して提供される。ＮＩＶは、ＯＨＳ、ＣＯＰＤ、ＮＭＤ、および胸壁障害などの形態のＣＳＲおよび呼吸不全の治療に用いられている。いくつかの形態において、これらの治療の快適性および有効性が向上し得る。
【００１６】
侵襲的換気（ＩＶ）は、自身で有効に呼吸することができなくなった患者に対して換気補助を提供し、気道開口チューブを用いて提供され得る。いくつかの形態において、これらの治療の快適性および有効性が向上し得る。
【００１７】
２．２．３  治療システム
これらの治療は、治療システムまたはデバイスによって提供され得る。このようなシステムおよびデバイスは、症状を治療することなく診断するためにも、用いられ得る。
【００１８】
治療システムは、呼吸圧力療法デバイス（ＲＰＴデバイス）、空気回路、加湿器、患者インターフェース、およびデータ管理を含み得る。
【００１９】
別の形態の治療システムとして、下顎再位置決めデバイスがある。
【００２０】
２．２．３．１  患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域との密閉部を形成し得、これにより、療法実行のための雰囲気圧力と共に充分な分散の圧力において（例えば、例えば雰囲気圧力に対して約１０ｃｍＨ２Ｏの陽圧において）ガス送達を促進する。酸素送達などの他の治療形態において、患者インターフェースは、約１０ｃｍＨ２Ｏの陽圧において気道へのガス供給の送達を促進するのに充分な密閉を含まない場合がある。
【００２１】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２２】
特定のマスクは、本技術において臨床的に好ましく無い場合があり得る（例えば、マスクが鼻を介して気流を遮断し、口を介した気流のみを通過させる場合）。
【００２３】
特定のマスクにおいて、患者がマスク構造の一部を口に挿入し、唇を介して密閉状態を生成および維持しなければならない場合、本技術において不快であるかまたは非実際的である場合がある。
【００２４】
特定のマスクは、睡眠時（例えば、横向きにベッドに寝て枕の上に頭を置いた状態で睡眠する場合）における使用においては非実際的である場合がある。
【００２５】
患者インターフェースの設計においては、複数の課題がある。顔は、複雑な三次元形状を有する。鼻および頭のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００２６】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。誤ったサイズのマスクが用いられた場合、適応性の低下、快適性の低下および患者予後の低下に繋がり得る。飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者の承諾が低下する可能性がある。これは、マスクを睡眠時に装着する必要がある場合、特に当てはまる。
【００２７】
ＣＰＡＰ治療は、患者が治療を承諾している場合、特定の呼吸疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者の承諾に影響が出る場合がある。
【００２８】
他の用途（例えば、飛行士）用のマスクの場合、睡眠呼吸障害の治療の使用には不適である場合があるため、睡眠呼吸障害の治療の使用のために設計されたマスクは、他の用途に適している場合がある。
【００２９】
これらの理由のめ、睡眠時のＣＰＡＰ送達のための患者インターフェースは、明瞭な分野を形成する。
【００３０】
２．２．３．１．１  密閉形成部分
患者インターフェースは、密閉形成部分を含み得る。患者インターフェースは、患者の顔と直接接触するため、密閉形成部分の形状および構成は、患者インターフェースの有効性および快適性に直接影響を持ち得る。
【００３１】
患者インターフェースは、使用時に密閉形成部分を顔と係合させる場所の設計意図に従って、部分的に特徴付けられ得る。一形態の患者インターフェースにおいて、密閉形成部分は、各左鼻孔および右鼻孔と係合する２つのサブ部分を含み得る。一形態の患者インターフェースにおいて、密閉形成部分は、使用時において双方の鼻孔を包囲する単一の要素を含み得る。このような単一の要素は、例えば顔の上唇領域および鼻梁領域上に載置されるように、設計され得る。一形態の患者インターフェースにおいて、密閉形成部分は、使用時に例えば顔の下唇領域上に密閉を形成することにより口腔領域を包囲する要素を含み得る。一形態の患者インターフェースにおいて、密閉形成部分は、使用時に双方の鼻孔および口腔領域を包囲する単一の要素を含み得る。これらの異なる種類の患者インターフェースは、その製造業者によって鼻マスク、フルフェース型マスク、鼻枕、鼻パフおよび口鼻マスクなどの多様な名称によって公知であり得る。
【００３２】
患者の顔の一領域において有効であり得る密閉形成部分は、例えば患者の顔の異なる形状、構造、変化性および感受性領域に起因して、別の領域において不適切であり得る。例えば、患者の額上に載置される水泳用ゴーグルの密閉部は、患者の鼻上における使用には不適切である場合がある。
【００３３】
特定の密閉形成部分は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースの密閉形成部分との間の不整合がある範囲まで、一方または双方を適合させる必要がある。
【００３４】
１つの種類の密閉形成部分は、患者インターフェースの周囲を包囲して延び、密閉形成部分が患者の顔に対向して係合している状態で力が患者インターフェースへ付加された際、患者の顔を密閉することを意図する。この密閉形成部分は、空気または流体充填クッションを含み得るか、または、ゴムなどのエラストマーによって構成された弾力性のある密閉要素の成形されたかまたは形成された表面を含み得る。この種の密閉形成部分により、フィット感が不適切である場合、密閉形成部分と顔との間に隙間が発生し、密閉を達成するには、患者インターフェースを顔に押しつけるためにさらなる力が必要になる。
【００３５】
別の種類の密閉形成部分は、陽圧がマスク内に付加された際に患者の顔に対して自己気密作用を提供するように、マスクの周囲の周辺に配置された薄材のフラップシールを使用する。先述の種類の密閉形成部分と同様に、顔とマスクとの間の整合が良くない場合、密閉を達成するために必要なさらなる力が必要になり得るか、またはマスクから漏洩が発生し得る。さらに、密閉形成部分の形状が患者の形状と整合しない場合、使用時において密閉形成部分に折り目または座屈が発生し、漏洩の原因になる。
【００３６】
別の種類の密閉形成部分は、例えば鼻孔中へ挿入される摩擦嵌め要素を含み得るが、これらの密閉形成部分を不快であると感じる患者も存在する。
【００３７】
別の形態の密閉形成部分は、密閉を達成するために接着部を用い得る。患者の中には、常に接着部を自身の顔に貼り付けるかまたは取り外すことが不便であると感じる患者もいる。
【００３８】
一定範囲の患者インターフェース密閉形成部分の技術について、（ＲｅｓＭｅｄ  Ｌｉｍｉｔｅｄへ譲渡された以下の特許出願：ＷＯ１９９８／００４、３１０；ＷＯ２００６／０７４、５１３；ＷＯ２０１０／１３５、７８５）に開示がある。
【００３９】
一形態の鼻枕が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された米国特許第４、７８２、８３２号（Ｔｒｉｍｂｌｅら）の主題になっている。
【００４０】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェース型マスク。ＲｅｓＭｅｄ  Ｌｉｍｉｔｅｄへ譲渡された以下の特許出願において、鼻枕マスクの実施例についての記載がある：国際特許出願ＷＯ２００４／０７３、７７８号（特に、ＲｅｓＭｅｄ  ＬｉｍｉｔｅｄのＳＷＩＦＴ（登録商標）鼻枕の様相を記載）、米国特許出願第２００９／００４４８０８号（特に、ＲｅｓＭｅｄ  ＬｉｍｉｔｅｄのＳＷＩＦＴ（登録商標）ＬＴ鼻枕の様相を記載）；国際特許出願ＷＯ２００５／０６３、３２８号およびＷＯ２００６／１３０、９０３号（特に、ＲｅｓＭｅｄ  ＬｉｍｉｔｅｄのＭＩＲＡＧＥ  ＬＩＢＥＲＴＹ（登録商標）フルフェース型マスクの様相を記載）；国際特許出願ＷＯ２００９／０５２、５６０号（特に、ＲｅｓＭｅｄ  ＬｉｍｉｔｅｄのＳＷＩＦＴ（登録商標）ＦＸ鼻枕の様相を記載）。
【００４１】
２．２．３．１．２  位置決めおよび安定化
陽圧空気治療に用いられる患者インターフェースの密閉形成部分は、密閉を妨害する空気圧力の対応する力を受ける。そのため、密閉形成部分を位置決めすることと、顔の適切な部分に対して密閉を維持することとを行うために、多様な技術が用いられている。
【００４２】
１つの技術において、接着部が用いられる。例えば、米国特許出願公開ＵＳ２０１０／００００５３４号を参照されたい。しかし、接着部を用いた場合、不快感がある場合がある。
【００４３】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
【００４４】
２．２．３．２  呼吸圧力治療（ＲＰＴ）デバイス
空気圧生成器は、広範な用途（例えば、工業規模通気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【００４５】
特定のＲＰＴデバイスの特殊な要件の一例として、音響ノイズがある。
従来のＲＰＴデバイスのノイズ出力レベルの表（試料１個のみをＩＳＯ３７４４に指定の試験方法を用いてＣＰＡＰモードにおいて１０ｃｍＨ２Ｏにて測定）。
【００４６】
【表１】
2018525077.tif 000003
【００４７】
睡眠呼吸障害の治療に用いられる１つの公知のＲＰＴデバイスとして、Ｓ９睡眠治療システム（製造元：ＲｅｓＭｅｄ  Ｌｉｍｉｔｅｄ）がある。ＲＰＴデバイスの別の実施例として、人工呼吸器がある。人工呼吸器（例えば、成人および小児用人工呼吸器のＲｅｓＭｅｄ  Ｓｔｅｌｌａｒ（登録商標）シリーズ）の場合、複数の状態（例を非限定的に挙げると、ＮＭＤ、ＯＨＳおよびＣＯＰＤ）の治療のための一定範囲のための患者のための侵襲的および非侵襲的な非依存的呼吸のための補助を提供し得る。
【００４８】
ＲｅｓＭｅｄ  Ｅｌｉｓｅ（アキュートアクセント）ｅ（登録商標）１５０人工呼吸器およびＲｅｓＭｅｄＶＳＩＩＩ（登録商標）人工呼吸器は、複数の状態の治療のための成人患者または小児用患者に適した侵襲的および非侵襲的な依存的呼吸の補助を提供し得る。これらの人工呼吸器により、単一または二重の肢回路を用いた容積通気モードおよび気圧通気モードが得られる。ＲＰＴデバイスは典型的には、圧力生成器（例えば、電動送風機または圧縮ガスリザーバ）を含み、患者の気道へ空気流れを供給するように構成される。場合によっては、空気流れは、患者の気道へ陽圧で供給され得る。ＲＰＴデバイスの出口は、空気回路を介して上記したような患者インターフェースへ接続される。
【００４９】
デバイスの設計者には、無数の選択肢が提示され得る。設計基準同士が対立することが多くあるため、特定の設計選択肢が慣例からほど遠くなるかあるいは避けられないことがある。さらに、特定の態様の快適性および有効性は、１つ以上のパラメータの些細な変更から大きく影響を受ける可能性もある。
【００５０】
２．２．３．３  加湿器
空気流れの送達を加湿無しで行った場合、気道の乾燥に繋がり得る。加湿器をＲＰＴデバイスおよび患者インターフェースと共に用いた場合、加湿ガスが生成されるため、鼻粘膜の乾燥が最小化され、患者気道の快適性が増加する。加えて、より冷涼な気候においては、概して患者インターフェースの周囲の顔領域へ温風を付加すると、冷風の場合よりも快適性が高まる。一定範囲の人工的加湿機器およびシステムが公知であるが、医療加湿器の特殊な要件を満たせていない。
【００５１】
医療加湿器は、典型的には患者が（例えば病院において）睡眠時または安静時にあるときに、必要な場合に周囲空気に相対して空気流れの湿度および／または温度を増加させるように、用いられる。枕元に置かれる医療加湿器は、小型である場合がある。医療加湿器は、患者へ送達される空気流れの加湿および／または加熱のみを行うように構成され得、患者の周囲の加湿および／または加熱は行わない。例えば、部屋ベースのシステム（例えば、サウナ、エアコン、または蒸発冷却器）は、呼吸により患者体内に取り込まれる空気も加湿し得るものの、これらのシステムの場合、部屋全体も加湿および／または加熱するため、占有者にとって不快になり得る。さらに、医療加湿器の場合、工業用加湿器よりも安全面での制約がより厳しい場合もある。
【００５２】
多数の医療加湿器が公知であるものの、このような医療加湿器の場合、１つ以上の欠陥を被り得る。すなわち、このような医療加湿器の場合、加湿が不適切なものもあれば、患者にとって使用が困難または不便であるものもある。
【００５３】
２．２．３．４  データ管理
臨床的理由により、呼吸治療が処方された患者が「コンプライアンスを遵守している」（例えば、患者が自身のＲＰＴデバイスを特定の「コンプライアンスルール」に則っている）かを決定するためのデータを入手する場合がある。ＣＰＡＰ治療についてのコンプライアンスルールの一例として、患者がコンプライアンスを遵守しているとみなすためには、患者が連続３０日間のうち少なくとも２１日間にわたってＲＰＴデバイスを一晩あたり少なくとも４時間にわたって使用する必要がある。患者のコンプライアンスを決定するためには、ＲＰＴデバイスのプロバイダ（例えば、ヘルスケアプロバイダ）は、ＲＰＴデバイスを用いた患者の治療を記述するデータを手作業で入手し、所定期間にわたる使用率を計算し、これをコンプライアンスルールと比較し得る。ヘルスケアプロバイダが患者が自身のＲＰＴデバイスをコンプライアンスルールに則って使用したと決定すると、当該ヘルスケアプロバイダは、患者がコンプライアンスを遵守している旨を第三者に通知し得る。
患者の治療において、治療データの第三者または外部システムへの通信から恩恵を受ける他の態様があり得る。
【００５４】
このようなデータを通信および管理するための既存のプロセスの場合、高コスト、時間がかかること、エラーの発生し易さのうち１つ以上が発生し得る。
【００５５】
２．２．３．５  下顎の再位置決め
下顎再位置決めデバイス（ＭＲＤ）または下顎前方固定デバイス（ＭＡＤ）は、睡眠時無呼吸およびいびきの治療選択肢の１つである。これは、歯科医または他の供給業者から利用可能である調節可能な口腔用器具であり、下顎部（下顎）を睡眠時に前方位置に保持する。ＭＲＤは、取り外し可能なデバイスであり、患者の睡眠前に口腔内に挿入され、睡眠後に取り外される。そのため、ＭＲＤは、常時装着用途を想定した設計はされていない。ＭＲＤは、カスタム仕様にしてもよいし、あるいは、標準形態で製造してもよく、患者の歯に適合するように設計された咬合印象部位を含む。この下顎からの機械的突出部は、舌の後ろ側の空間を拡張させ、咽頭壁上へ張力を付加して、気道崩壊を低減させ、口蓋振動を低減させる。
【００５６】
特定の実施例において、下顎前方固定デバイスは、上顎または上顎骨上の歯と係合するかまたは嵌め合うように意図された上側スプリントと、上顎または下顎上の歯と係合するかまたは嵌め合うように意図された下側スプリントとを含み得る。上側スプリントおよび下側スプリントは、一対の接続ロッドを介して相互に横方向に接続される。この１組の接続ロッドは、上側スプリントおよび下側スプリント上において対称に固定される。
【００５７】
このような設計において、接続ロッドの長さは、ＭＲＤが患者の口腔中に配置されたときに下顎が前方位置に保持されるように、選択される。接続ロッドの長さは、下顎の突出レベルを変化させるように、調節され得る。歯科医は、突出レベルを下顎に合わせて決定することができ、その結果、接続ロッドの長さが決定される。
【００５８】
下顎を上顎骨に対して前方に押し出すように構成されているＭＲＤもあれば、ＲｅｓＭｅｄ  Ｎａｒｖａｌ  ＣＣ（登録商標）ＭＲＤなどの他のＭＡＤのように、下顎を前方位置に保持するように設計されているものもある。このデバイスにより、歯科的副作用および側頭／下顎間の関節（ＴＭＪ）の副作用も低下または最小化される。そのため、このデバイスは、歯のうち１つ以上の任意の移動を最小化または回避するように構成される。
【００５９】
２．２．３．６  通気技術
いくつかの形態の治療システムは、吐き出された二酸化炭素を押し出すための通気部を含み得る。この通気部により、患者インターフェースの内部空間（例えば、プレナムチャンバ）から患者インターフェースの外部（例えば、周囲）への流れが可能になり得る。この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と同床者１１００の睡眠を妨げる場合がある。
【００６０】
ＲｅｓＭｅｄ  Ｌｉｍｉｔｅｄは、複数の向上したマスク通気技術を開発している。下記を参照されたい：国際特許出願公開第ＷＯ１９９８／０３４、６６５；国際特許出願公開第ＷＯ２０００／０７８、３８１；米国特許第６、５８１、５９４号；米国特許出願公開第ＵＳ２００９／００５０１５６；米国特許出願公開第２００９／００４４８０８。
【００６１】
従来のマスクのノイズの表（ＩＳＯ１７５１０−２：２００７、１ｍにおける１０ｃｍＨ２Ｏ圧力）
【００６２】
【表２】
2018525077.tif 000004
【００６３】
２．２．４  診断システムおよび監視システム
睡眠ポリグラフ（ＰＳＧ）は、心肺疾患の診断および監視のための従来のシステムであり、典型的には、システム適用のために専門家臨床スタッフを必要とすることが多い。ＰＳＧにおいては、多様な身体信号（例えば、脳波検査（ＥＥＧ）、心電図検査（ＥＣＧ）、電気眼球図記録（ＥＯＧ）、筋電図描画法（ＥＭＧ））を記録するために、典型的には１５〜２０個の接触覚センサーを人体上に配置する。睡眠時呼吸障害のＰＳＧのめには、患者を専門病院において二晩にわたって観察する必要があった。すなわち、第一夜は純然たる診断のためであり、第二夜は、臨床医による治療パラメータのタイトレーションのために必要であった。そのため、ＰＳＧは高コストであり、利便性も低い。ＰＳＧは、家庭における睡眠テストには特に不向きである。
【００６４】
臨床専門家は、患者の診断または監視をＰＳＧ信号の視覚的観察に基づいて適切に行い得る。しかし、臨床専門家が居ないまたは臨床専門家への支払いができない状況がある。患者の状態について臨床専門家によって意見が異なる場合がある。さらに、或る臨床専門家は、時期によって異なる基準を適用し得る。
【発明の概要】
【課題を解決するための手段】
【００６５】
３  技術の簡単な説明
本技術は、呼吸疾患の診断、改善、治療または回避において用いられる医療デバイスの提供に関連し、これらの医療デバイスは、向上した快適性、コスト、有効性、使い易さおよび製造可能性のうち１つ以上を有する。
【００６６】
本技術の第１の様態は、呼吸障害の診断、改良、治療または回避に用いられる装置に関連する。
【００６７】
本技術の別の様態は、呼吸障害の診断、改良、治療または回避において用いられる方法に関連する。
【００６８】
本技術の特定の形態の一態様は、呼吸治療についての患者の承諾を向上させる方法および／または装置を提供することである。
【００６９】
本技術の一形態は、プレナムチャンバと、プレナムチャンバの有効内容積を低減させるためのプレナムチャンバ内の１つ以上の減容部材とを含む患者インターフェースを含む。
【００７０】
本技術の一形態の別の態様は、プレナムチャンバの有効内容積を低減させ、不要なデッドスペース体積を呼吸圧力治療の送達に必要な体積から分離させるプレナムチャンバおよび構造を含む患者インターフェースを含む。
【００７１】
本技術の一形態の別の態様は、プレナムチャンバの有効内容積を低減させ、患者によって再呼吸されるＣＯ２の体積を低減させるためのプレナムチャンバおよび構造を含む患者インターフェースを含む。
【００７２】
本技術の一形態の別の態様は、密閉形成構造を変化させることまたは密閉形成構造へ影響を与えること無しに、プレナムチャンバの有効内容積を低減させるためのプレナムチャンバおよび構造を含む患者インターフェースを含む。
【００７３】
本技術の一形態の別の態様は、呼吸圧力治療の送達のためのプレナムチャンバの主要体積をプレナムチャンバの不要なデッドスペース体積（例えば、患者の鼻通路への入口の上側、患者の口腔への入口の下側、患者の鼻および／または口腔の側部の周囲、および／または患者の鼻通路それぞれの周囲および／または患者の口腔の周囲に設けられた不要なデッドスペース体積）から分離させるためのプレナムチャンバおよび構造を有するフルフェース型の患者インターフェースを含む。
【００７４】
本技術の一形態の別の態様は、プレナムチャンバと、プレナムチャンバの有効内容積を低減させ、患者によって再呼吸されるＣＯ２の体積を低減させるためのプレナムチャンバおよび構造内の熱／水分交換器とを有する患者インターフェースを含む。
【００７５】
本技術の一形態の別の態様は、空気流れを周囲空気圧力に対して連続的に陽圧において少なくとも患者の鼻孔入口を含む患者の気道への入口へ密閉された様態で送達するための患者インターフェースに関する。この患者インターフェースは、使用時において患者の睡眠時の患者の呼吸サイクル全体において周囲空気圧力よりも高い約４ｃｍＨ２Ｏ〜約３０ｃｍＨ２Ｏの範囲の治療圧力を維持し、睡眠時呼吸障害が改善されるように構成される。この患者インターフェースは、クッションアセンブリを含む。このクッションアセンブリは、患者の鼻および／または口腔の周囲のシールと、患者が呼息したＣＯ２が患者インターフェースの外部へ流れることを可能にするように構成されたガス逃がし孔とを形成されるように適合され、これにより、患者が呼息したＣＯ２が最小化される。クッションアセンブリにより、使用時において周囲圧力を超える圧力で加圧されるプレナムチャンバが規定される。少なくとも１つの減容部材が、プレナムチャンバの有効内容積を低減させるように、プレナムチャンバ内に設けられる。少なくとも１つの減容部材は、治療圧力を送達するためのプレナムチャンバの主要体積を患者の鼻通路への入口の上側および／または患者の口腔への入口の下側に設けられたデッドスペース体積から分離するように、配置される。主要体積は、患者の鼻および／または口腔ならびに孔と直接流体連通するように、適合される。
【００７６】
本技術の別の形態は、プレナムチャンバを含む患者インターフェースと、プレナムチャンバ内の少なくとも１つの流れ方向付け部材とを含む。プレナムチャンバは、デッドスペース体積と流体連通した有効内容積を有し、有効内容積は、少なくとも１つの流れ方向付け部材によりデッドスペース体積から分離される。少なくとも１つの流れ方向付け部材は、有効内容積とデッドスペース体積との間の流れを塞ぐような構造である。有効内容積は、患者の気道への入口へ加圧空気を送達するように、患者の気道への入口と直接流体連通し得る。有効内容積は、ＣＯ２を有効内容積から直接逃がすための孔を含み得る。
【００７７】
本技術の別の形態は、少なくとも１つのデッドスペース体積と流体連通する有効内容積を有するプレナムチャンバを含む患者インターフェースを含む。有効内容積は、少なくとも１つの流れ方向付け部材により、デッドスペース体積から分離される。少なくとも１つの流れ方向付け部材は、プレナムチャンバ内に配置された孔へ呼気流を方向付けるように、適合される。孔は、有効内容積内に配置され得、少なくとも１つの流れ方向付け部材によりデッドスペース体積から分離され得る。
【００７８】
本技術の一形態の別の態様は、密閉形成構造およびプレナムチャンバを含む患者インターフェースを含む。プレナムチャンバは、デッドスペース体積と流体連通した有効内容積を有する。プレナムチャンバは、有効内容積中へのプレナムチャンバおよびデッドスペース体積を分離させる少なくとも１つの流れ方向付け部材を含む。少なくとも１つの流れ方向付け部材は、密閉形成構造を変化させることまたは密閉形成構造へ影響を与えること無しに、有効内容積とプレナムチャンバのデッドスペース体積との間の呼気流および吸気流を塞ぐように、適合される。
【００７９】
本技術の一形態の別の態様は、デッドスペース体積と流体連通した有効内容積を有するプレナムチャンバを含むフルフェース型の患者インターフェースを含む。有効内容積は、有効内容積とデッドスペース体積との間の流れを塞ぐように、流れ方向付け部材によってデッドスペース体積から分離される。プレナムチャンバのデッドスペース体積は、患者の鼻通路への入口の上側、患者の口腔への入口の下側、患者の鼻および／または口腔の側部の周囲、および／または患者の鼻通路それぞれの周囲および／または患者の口腔の周囲に設けられる。
【００８０】
本技術の一形態の別の態様は、プレナムチャンバおよび少なくとも１つの流れ方向付け部材を含むフルフェース型の患者インターフェースを含む。少なくとも１つの流れ方向付け部材は、プレナムチャンバを呼吸圧力治療の送達のための主要体積および不要なデッドスペース体積に分離させる。少なくとも１つの流れ方向付け部材は、デッドスペース体積中に流れる呼気流を塞ぐように、適合される。
【００８１】
本技術の一形態の別の態様は、プレナムチャンバを含む患者インターフェースと、有効内容積中へのプレナムチャンバおよび少なくとも１つのデッドスペース体積を分離させる少なくとも１つの流れ方向付け部材とを含む。有効内容積は、ＨＭＥと、ＣＯ２を逃がすための孔とを含む。少なくとも１つの流れ方向付け部材は、有効内容積からデッドスペース体積内へ流れる呼気流を塞ぐように適合され、少なくとも１つの流れ方向付け部材は、呼気流をＨＭＥを通過させた後に孔から退出させるように、適合される。流れ方向付け部材は、呼気からの水分損失を低減させるように、呼気流を密閉形成部材から離隔方向に移動させた後にＨＭＥを通じて流動させ得る。
【００８２】
本技術の一形態の別の態様は、プレナムチャンバを含む患者インターフェースと、有効内容積中へのプレナムチャンバおよび少なくとも１つのデッドスペース体積を分離させる流れ方向付け部材とを含む。少なくとも１つのデッドスペース体積は、患者インターフェースの密閉形成部位に隣接して設けられる。デッドスペース体積は、有効内容積を包囲し、有効内容積は、鼻孔および／または口腔を含む患者の気道入口を包囲するように適合される。有効内容積は、患者インターフェースの入口と直接流体連通し得る。デッドスペース体積は、ＣＯ２を逃がすための孔と有効内容積を介して流体連通し得る。
【００８３】
本技術の一形態の別の態様は、患者インターフェースを含む。患者インターフェースは、密閉形成部材と、プレナムチャンバと、加圧空気の送達のための有効内容積中へのプレナムチャンバを患者の気道の入口および少なくとも１つのデッドスペース体積に分離させるための少なくとも１つの流れ方向付け部材とを含む。有効内容積は、ＨＭＥと、ＣＯ２を逃がすための孔とを含む。流れ方向付け部材は、呼気流がＨＭＥを通じて流れる前にデッドスペース体積中に流入するのを塞ぐように、適合される。デッドスペース体積は、密閉形成部材の少なくとも一部を含み得る。流れ方向付け部材は、呼気流がデッドスペース体積に進入する前にＨＭＥへ方向付けられるように適合され得、これにより、密閉形成部材に起因する不完全な密閉からの水分損失が回避される。
【００８４】
本技術の一形態の別の態様は、患者インターフェースを含む。患者インターフェースは、密閉形成部材と、プレナムチャンバと、患者の気道への加圧空気送達のための有効内容積中へのプレナムチャンバおよび少なくとも１つのデッドスペース体積を分離させる少なくとも１つの流れ方向付け部材とを含む。有効内容積は、ＨＭＥおよびＣＯ２を逃がすための孔を含む。流れ方向付け部材は、吸息が患者の気道へ送達される前にデッドスペース体積中へ流動することを塞ぐように、適合される。デッドスペース体積は、密閉形成部材の少なくとも一部を含み得る。流れ方向付け部材は、吸気流れをデッドスペース体積に進入する前にＨＭＥへ方向付けるように適合され得、これにより、密閉形成部材に起因する不完全な密閉を介して水分損失が漏洩することを回避する。
【００８５】
本技術の一形態の別の態様は、空気流れを周囲空気圧力に対して連続的に陽圧において少なくとも患者の鼻孔入口を含む患者の気道への入口へ密閉された様態で送達するための患者インターフェースに関する。この患者インターフェースは、使用時において患者の睡眠時の患者の呼吸サイクル全体において周囲空気圧力よりも高い約４ｃｍＨ２Ｏ〜約３０ｃｍＨ２Ｏの範囲の治療圧力を維持し、睡眠時呼吸障害が改善されるように構成される。この患者インターフェースは、クッションアセンブリを含む。このクッションアセンブリは、患者の鼻および／または口腔の周囲のシールと、患者が呼息したＣＯ２が患者インターフェースの外部へ流れることを可能にするように構成されたガス逃がし孔とを形成されるように適合され、これにより、患者が呼息したＣＯ２が最小化される。クッションアセンブリにより、使用時において周囲圧力を超える圧力で加圧されるプレナムチャンバが規定される。少なくとも１つの流れ方向付け部材が、患者の気道の入口の周囲の有効内容積中へのプレナムチャンバと、有効内容積を少なくとも部分的に包囲するデッドスペース体積とを分離させるように、プレナムチャンバ内に設けられる。デッドスペース体積は、クッションアセンブリの少なくとも一部により、部分的に形成される。少なくとも１つの流れ方向付け部材は、吸息および呼気流がデッドスペース体積中に流入するように吸息および呼気流を方向付けるように、配置される。プレナムチャンバのデッドスペース体積は、患者の鼻通路への入口の上側、患者の口腔への入口の下側、患者の鼻および／または口腔の側部の周囲、および／または患者の鼻通路それぞれの周囲および／または患者の口腔の周囲に設けられ得る。
【００８６】
本技術の特定の形態の一態様は、例えば医療トレーニングを受けたことの無い人、あまり器用ではない人や洞察力の欠いた人、またはこの種の医療デバイスの使用経験が限られた人にとって使い易い医療デバイスである。
【００８７】
もちろん、上記様態の一部は、本技術の下位様態を形成し得る。また、下位様態および／または様態のうち多様な１つを多様に組み合わせることができ、本技術のさらなる様態または下位様態も構成し得る。
【００８８】
本技術の他の特徴は、以下の詳細な説明、要約、図面および特許請求の範囲中に含まれる情報を鑑みれば明らかになる。
【図面の簡単な説明】
【００８９】
４  図面の簡単な説明
本技術を、添付図面中に非限定的に一実施例として例示する。図面中、類似の参照符号は、以下の類似の要素を含む：
４．１  治療システム
【図１Ａ】図１Ａは、患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。
【図１Ｂ】図１Ｂは、患者インターフェース３０００を装着している患者１０００を含むシステムを示す。このシステムは、鼻マスクの形態をとり、ＲＰＴデバイス４０００から供給される陽圧の空気を受容する。ＲＰＴデバイスからの空気は、加湿器５０００によって加湿され、空気回路４１７０に沿って患者１０００へと移動する。
【図１Ｃ】図１Ｃは、患者インターフェース３０００を装着している患者１０００を含むシステムを含む。患者インターフェース３０００は、全面式マスクをとり、陽圧の空気供給をＲＰＴデバイス４０００から受容する。ＲＰＴデバイスからの空気は、加湿器５０００によって加湿され、空気回路４１７０に沿って患者１０００へと移動する。４．２  呼吸システムおよび顔の解剖学的構造
【図２Ａ】図２Ａは、鼻および口腔、喉頭、声帯ひだ、食道、気管、気管支、肺、肺胞嚢、心臓および横隔膜を含むヒト呼吸系の概要を示す。
【図２Ｂ】図２Ｂは、鼻腔、鼻骨、外側鼻軟骨、大鼻翼軟骨、鼻孔、上唇、下唇、喉頭、硬口蓋、軟口蓋、中咽頭、舌、喉頭蓋、声帯ひだ、食道および気管を含むヒトの上気道の図である。
【図２Ｃ】図２Ｃは、上唇、上赤唇、下赤唇、下唇、口腔幅、心内膜、鼻翼、鼻唇溝および口角点を含む表面解剖学的構造のいくつかの特徴を含む顔の正面図である。上側、下側、ラジアル内方およびラジアル外方の方向も記載される。
【図２Ｄ】図２Ｄは、眉間、セリオン、鼻尖点、鼻下点、上唇、下唇、頤、鼻堤、狭長頂点、下耳上縁点および下耳下縁点を含む表面解剖学的構造のいくつかの特徴を含む頭部の側面図である。上側および下側と、前方および後方との方向も記載される。
【図２Ｅ】図２Ｅは、頭部のさらなる側面図である。フランクフォート水平および鼻唇角の大まかな位置が記載されている。前額面も記載される。
【図２Ｆ】図２Ｆは、鼻唇溝、下唇、上赤唇、鼻孔、鼻下点、鼻柱、鼻尖点、鼻孔の主軸および矢状面を含むいくつかの特徴を含む鼻の底面図である。
【図２Ｇ】図２Ｇは、鼻の表面的特徴の側面図である。
【図２Ｈ】図２Ｈは、外側軟骨、隔膜軟骨、大鼻翼軟骨、小鼻翼軟骨、種子骨軟骨、鼻骨、表皮、脂肪組織、上顎骨の前頭突起および線維性脂肪組織を含む鼻の皮下構造を示す。
【図２Ｉ】図２Ｉは、鼻の中間切開、矢状面からおよそ数ミリメートルの位置における鼻の中間切開を示し、特に隔膜軟骨および大鼻翼軟骨の内側脚を示す。
【図２Ｊ】図２Ｊは、前頭骨、鼻骨および頬骨を含む頭蓋骨の骨正面図である。鼻甲介が上顎骨および下顎と共に図示されている。
【図２Ｋ】図２Ｋは、頭蓋骨を頭部表面の外形およびいくつかの筋肉と共に示す側面図である。以下の骨が図示されている：前頭、蝶形骨、鼻、頬骨、上顎骨、下顎、頭頂、側頭および後頭。オトガイ隆起が図示されている。以下の筋肉が図示されている：二腹、咬筋、胸鎖乳突筋および僧帽筋。
【図２Ｌ】図２Ｌは、鼻の前外側を示す。４．３  患者インターフェース
【図３Ａ】図３Ａは、本技術の一形態による鼻マスクの形態の患者インターフェースを示す。
【図３Ｂ】図３Ｂは、構造を１つの点において切断した模式的断面図である。この点における外向き法線が図示される。この点における曲率は、正の符号と、３Ｃに示す曲率の大きさと比較して比較的大きな大きさとを有する。
【図３Ｃ】図３Ｃは、構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】図３Ｄは、構造を１つの点において切断した模式的断面図である。この点における外向き法線が図示される。この点における曲率の値はゼロである。
【図３Ｅ】図３Ｅは、構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】図３Ｆは、構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】図３Ｇは、２つの枕を含むマスク用クッションを示す。クッションの外面が図示される。表面の縁部が図示される。ドーム領域およびサドル領域が図示される。
【図３Ｈ】図３Ｈは、マスク用クッションを示す。クッションの外面が図示される。表面の縁部が図示される。点Ａと点Ｂとの間の表面上の経路が図示される。ｉｓ図示される。ＡとＢとの間の直線距離が図示される。２つのサドル領域およびドーム領域が図示される。
【図３Ｉ】図３Ｉは、構造の表面を示し、この表面中には一次元穴が開いている。平面曲線３０１Ｄは、一次元穴の境界を形成する。
【図３Ｊ】図３Ｊは、図３Ｉの構造を通じた断面図である。図３Ｉの構造中の二次元穴を境界付ける表面３０２Ｄが図示される。
【図３Ｋ】図３Ｋは、二次元穴および一次元穴を含む図３Ｉの構造の斜視図である。図３Ｉの構造中の二次元穴を境界付ける表面３０２Ｄが図示される。
【図３Ｌ】図３Ｌは、クッションとしての可膨張性ブラダーを有するマスクを示す。
【図３Ｍ】図３Ｍは、図３Ｌのマスクの断面図であり、ブラダーの内面を示す。
【図３Ｎ】図３Ｎは、左手の法則を示す。
【図３Ｏ】図３Ｏは、右手の法則を示す。
【図３Ｐ】図３Ｐは、左耳螺旋を含む左耳を示す。
【図３Ｑ】図３Ｑは、右耳螺旋を含む右耳を示す。
【図３Ｒ】図３Ｒは、右手螺旋を示す。
【図３Ｓ】図３Ｓは、マスクの異なる領域内の密閉膜の縁部によって規定された空間曲線のねじれのサインを含むマスクの図である。４．４  患者インターフェースのための減容部材
【図４】図４は、患者呼気時の例示的な空気流れ経路を示すフルフェース型マスクの模式図である。
【図５】図５は、患者吸気時の例示的な空気流れ経路を示すフルフェース型マスクの模式図である。
【図６】図６は、ＨＭＥを含むフルフェース型マスクの模式図である。
【図７】図７は、患者呼気時の例示的な空気流れ経路を示すＨＭＥを含むフルフェース型マスクの模式的側面図である。
【図８】図８は、患者吸気時の例示的な空気流れ経路を示すＨＭＥを含むフルフェース型マスクの模式的側面図である。
【図９】図９は、本技術の一実施例によるクッションアセンブリの記プレナムチャンバ中の例示的なデッドスペース体積を示す側面図である。
【図１０】図１０は、本技術の一形態によるフルフェース型マスク形態の患者インターフェースの斜視図である。
【図１１】図１１は、本技術の一実施例による減容部材を含むクッションアセンブリを示す側面図である。
【図１２】図１２は、本技術の別の実施例による減容部材を含むクッションアセンブリを示す側面図である。
【図１３】図１３は、本技術の一実施例による減容部材を含むクッションアセンブリを示す模式的正面図である。
【図１４】図１４は、本技術の一実施例による減容部材を含むクッションアセンブリを示す模式的正面図である。
【図１５】図１５は、本技術の一実施例による減容部材を含むクッションアセンブリを示す模式的正面図である。
【図１６】図１６は、本技術の一実施例による減容部材を含むクッションアセンブリを示す模式的正面図である。
【図１７】図１７は、本技術の一実施例によるさらなる密閉部材および加圧ポートを含む患者インターフェースの模式的側面図である。
【図１８】図１８は、本技術の一実施例による患者呼気時の例示的な空気流れ経路を示す図１７の患者インターフェースの模式的側面図である。
【図１９】図１９は、は、本技術の一実施例による患者吸気時の例示的な空気流れ経路を示す図１７の患者インターフェースの模式的側面図である。
【図２０】図２０は、隔壁部材を含む患者インターフェースの模式的側面図であり、本技術の一実施例による患者呼気時の例示的な空気流れ経路を示す。
【図２１】図２１は、図２０の患者インターフェースの模式的側面図であり、本技術の一実施例による患者吸気時の例示的な空気流れ経路を示す。
【図２２】図２２は、本技術の一実施例による熱／水分交換器および減容部材を含むクッションアセンブリを示す側面図である。
【図２３】図２３は、本技術の一実施例によるさらなる密閉部材および加圧ポートを含むＨＭＥを用いた患者インターフェースの模式的側面図である。
【図２４】図２４は、図２３の患者インターフェースの模式的側面図であり、本技術の一実施例による患者呼気時の例示的な空気流れ経路を示す。
【図２５】図２５は、図２３の患者インターフェースの模式的側面図であり、本技術の一実施例による患者吸気時の例示的な空気流れ経路を示す。
【図２６】図２６は、本技術の一実施例による隔壁部材および漏洩ポートを含む、ＨＭＥを用いた患者インターフェースの模式的側面図である。
【図２７】図２７は、図２６の患者インターフェースの模式的側面図であり、本技術の一実施例による患者呼気時の例示的な空気流れ経路を示す。
【図２８】図２８は、図２６の患者インターフェースの模式的側面図であり、本技術の一実施例による患者吸気時の例示的な空気流れ経路を示す。
【発明を実施するための形態】
【００９０】
５  技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【００９１】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
【００９２】
５．１  治療法
一形態において、本技術は、呼吸疾患の治療方法を含む。本方法は、患者１０００の気道の入口へ陽圧を付加するステップを含む。
【００９３】
本技術の特定の実施例において、陽圧における空気供給が鼻孔の片方または双方を介して患者の鼻通路へ提供される。
【００９４】
本技術の特定の実施例において、口呼吸が制限されるか、限定されるかまたは妨げられる
【００９５】
５．２  治療システム
一形態において、本技術は、呼吸障害の治療のための装置またはデバイスを含む。装置またはデバイスは、圧縮空気を患者インターフェース３０００への空気回路４１７０を介して患者１０００へ供給するＲＰＴデバイス４０００を含み得る（例えば、図１Ａ〜図１Ｃを参照されたい）。
【００９６】
５．３  患者インターフェース
図３Ａに示したように、本技術の一様態による非侵襲的患者インターフェース３０００は、以下の機能様態を含む：密閉形成構造３１００、プレナムチャンバ３２００、位置決めおよび安定化構造３３００、通気孔３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、密閉形成構造３１００は、気道への陽圧での空気供給を促進するように、患者の気道の入口を包囲するように配置される。
【００９７】
５．３．１  密閉形成構造
本技術の一形態において、密閉形成構造３１００は、密閉形成表面を提供し、クッション機能をさらに提供し得る。
【００９８】
本技術による密閉形成構造３１００は、柔らかく、可撓性でありかつ弾力性のある材料（例えば、シリコーン）から構成され得る。
【００９９】
一形態において、密閉形成構造３１００は、密閉フランジおよび支持フランジを含む。密閉フランジは、厚さが約１ｍｍ未満（例えば、約０．２５ｍｍ〜約０．４５ｍｍ）の比較的肉薄の部材を含む。この部材は、プレナムチャンバ３２００の周辺長さの周囲に延びる。支持フランジは、密閉フランジよりも比較的肉厚であり得る。支持フランジは、密閉フランジと、プレナムチャンバ３２００の周縁部との間に配置され、周辺長さの周囲の少なくとも一部に延びる。支持フランジは、バネ様要素であるかまたはバネ様要素を含み、密閉フランジを使用時に座屈しないように支持するよう機能する。使用時において、密閉フランジは、プレナムチャンバ３２００中のシステム圧力に容易に応答してその下側上に作用して、面と緊密な密閉係合を形成させ得る。
【０１００】
一形態において、非侵襲的患者インターフェース３０００の密閉形成部分は、一対の鼻パフまたは鼻枕を含む。各鼻パフまたは鼻枕は、患者の鼻の各鼻孔との密閉を形成するように構成および配置される。
【０１０１】
本技術の一態様による鼻枕は、円錐台を含む。円錐台のうち少なくとも一部は、患者の鼻の下側、柄部、円錐台の下側上の可撓性領域上に密閉を形成し、円錐台を柄部へ接続させる。加えて、本技術の鼻枕が接続される構造は、柄部のベースに隣接する可撓性領域を含む。可撓性領域は、自在接合構造を促進するように機能し得る。自在接合構造は、円錐台の変位および角度双方と、鼻枕が接続される構造との相互移動に対応する。例えば、円錐台は、柄部が接続された構造に向かって軸方向に変位し得る。
【０１０２】
一形態において、非侵襲的患者インターフェース３０００は、患者の顔の上唇領域（すなわち、上唇）上に密閉を形成する密閉形成部分を含む。
【０１０３】
一形態において、非侵襲的患者インターフェース３０００は、患者の顔の顎領域上に密閉を形成する密閉形成部分を含む。
【０１０４】
本技術の特定の形態において、密閉形成構造３１００は、特定のサイズの頭部および／または形状の顔に対応するように構成される。例えば、密閉形成構造３１００の一形態は、小さなサイズの頭ではなく大きなサイズの頭に適している。別の実施例において、密閉形成構造３１００の一形態は、大きなサイズの頭ではなく小さなサイズの頭に適している。
【０１０５】
５．３．２  プレナムチャンバ
プレナムチャンバ３２００は、使用時に密閉が形成される領域において平均的な人の顔の表面外形に対して相補的である形状の周囲を有する。使用時において、プレナムチャンバ３２００の周辺縁部は、顔の隣接する表面に近接して位置決めされる。顔との実際の接触は、密閉形成構造３１００によって提供される。密閉形成構造３１００は、使用時においてプレナムチャンバ３２００の周囲全体の周りに延び得る。
【０１０６】
以下に述べるように、本技術の態様は、デッドスペース体積の低減（例えば、ＣＯ２の再呼吸の向上および／または熱／水分交換器（ＨＭＥ）の有効性の増加）のための、内容積の大きな患者インターフェース（例えば、フルフェース型マスク）への特定の用途を有する。例示の実施例において、フルフェース型マスクは、密閉形成構造を含む。この密閉形成構造は、鼻および口腔を包囲することと、鼻ブリッジ領域、鼻領域の側部、頬領域、口腔領域の側部、および下唇の下側（例えば、顎領域）に沿って密閉を形成することとを行うように適合される。例えば図９、図１１および図１２に示すように、顎領域に沿った密閉は、患者の顔の下唇領域（すなわち、下唇）に沿って設けられ得る。図４〜図８および図１７〜図２８に示すような他の実施例において、顎領域に沿った密閉は、患者の顎の下側に沿って設けられ得る。下唇の下側の密閉の位置は、例えば、ＨＭＥおよび／または１つ以上の減容部材を収容するように、選択され得る。
呼気および吸気時の例示的な空気流れ経路
【０１０７】
図４は、フルフェース型マスクの模式的側面図であり、患者呼気時の例示的な空気流れ経路を示す。呼気時において、患者は、一定体積のＣＯ２を豊富に含む空気をマスクのプレナムチャンバ中に呼気する。患者およびマスクの流れ動態に起因して、一定体積の呼気された空気は、マスクのプレナムチャンバ内において多数の流路をとり得る。例えば、呼気された体積のうち一部は、通気流れ１Ａであり得る。通気流れ１Ａは、一定体積の呼気された空気であり、ＣＯ２をプレナムチャンバから逃がすために、孔３４００を通じて流れる。呼気された体積のうち一部は、マスクのプレナムチャンバ内に残留する乱流呼気流れ２Ａまたは２Ｂであり得る。加えて、呼気された体積の一部は、さらなる呼気された流れ１Ｂであり得る。呼気された流れ１Ｂは、一定体積の呼気された空気であり、孔３４００を通過し、続いて空気送達導管の下流を移動して、流れ生成器に向かう。マスクのプレナムチャンバ内の空気の体積は一定のままであるため、呼気流からのＣＯ２を豊富に含む空気の流れで充填され得る。
【０１０８】
図５は、フルフェース型マスクの模式的側面図であり、患者吸気時の例示的な空気流れ経路を示す。吸気時において、流れ生成器は、空気の吸気流れを陽圧で生成し、この流れを空気送達導管を介してマスクのプレナムチャンバ中へ送達させる。この吸気流れは、ＣＯ２を実質的に含まない一定体積の加圧空気を吸気流路６Ｂを介して送達させる。吸気流路６Ｂの一部は、吸息通気流れ６Ａを通じて失われ、残りの体積は、プレナムチャンバ中へ送達され、吸気マスク流れ６Ｃを介して患者の気道の入口へ向かう。吸息通気流れ６Ａ時において、さらなる呼気された流れ１Ｂからの空気送達導管中に残っている体積の一部も、孔３４００を通じて変位される。しかし、さらなる呼気された流れ１Ｂからの呼気された空気の残りの体積の一部も、吸気マスク流れ６Ｃにより、患者の気道の入口へ方向付けられる。さらに、乱流呼気流れ２Ａおよび２Ｂの体積も、吸気マスク流れ６Ｃを介して、気道の入口へ再度送達され得る。そのため、この場合、さらなる呼気された流れ１Ｂおよび／または乱流呼気流れ２Ａおよび２Ｂからの呼気された空気の体積の結果、患者によってさらなるＣＯ２が再呼吸される。密閉形成構造は常に完全な密閉を達成できるわけではない（例えば、図４および図５を参照）ため、ＣＯ２を豊富に含む呼気された空気および吸気流れの体積のうち一部が、漏洩流れ５を通じて失わる場合がある。
熱／水分交換器（ＨＭＥ）を備えた、例示的なフルフェース型マスク
【０１０９】
図６は、プレナムチャンバ内に配置されたＨＭＥ１５を含むフルフェース型マスクの模式的側面図である。ＨＭＥは、患者の呼気時の呼気された空気流れの体積から熱および水分を獲得および保持する機能を果たす。その後、この熱および水分は、呼気時に患者へ再度送達される。ＨＭＥを含むフルフェース型マスクのプレナムチャンバ内において流れ動態が発生すると、ＣＯ２を豊富に含む呼気空気が使用時にプレナムチャンバ内に残留し得るため、ＣＯ２を豊富に含む空気が再呼吸される。
【０１１０】
図７は、ＨＭＥを含むフルフェース型マスクの模式的側面図であり、患者呼気時の例示的な空気流れ経路を示す。呼気時に熱および水分を獲得するためには、呼気流がＨＭＥ１５を通過することが必要である。しかし、ＨＭＥは一定レベルの流れインピーダンスを含むため、通気流れ１Ａおよびさらなる呼気された流れ１Ｂが妨げられるため、図４および図５に示すようにＨＭＥ無しのフルフェース型マスクと比較すると、増加した体積の呼気空気がプレナムチャンバ中に残留する可能性がある。このように流れが妨げられると、さらなる体積の呼気された空気が乱流呼気流れ２Ａおよび２Ｂの経路をとる結果になり得る。加えて、妨げられた流れの一部に起因して、一定体積の呼気が漏洩流れ５を通じてプレナムチャンバから呼気漏洩流路２Ｃおよび２Ｄを介して失われる場合がある。一定体積の呼気された空気が呼気漏洩流路２Ｃおよび２Ｄを介して失われた場合、この体積の呼気流れが漏洩流れ５を通じて失われた後にＨＭＥを通過するため、呼気された流れから熱および水分が失われる。
【０１１１】
図８は、ＨＭＥを含むフルフェース型マスクの模式的側面図であり、患者吸気時の例示的な空気流れ経路を示す。上記したように、吸気流路６Ｂの一部が吸息通気流れ６Ａを通じて失われ、残りの体積がプレナムチャンバ中へ送達され、吸気マスク流れ６Ｃを介して患者の気道の入口へ向かう。また、乱流呼気流れ２Ａおよび２Ｂの体積は、吸気マスク流れ６Ｃを介して気道の入口へ再度送達され得る。
【０１１２】
１つ以上の減容部材を備えたプレナムチャンバ
本技術の一実施例によれば、１つ以上の減容部材（体積分割部材または流れ方向付け部材とも呼ばれる）をプレナムチャンバ内に設けることで、プレナムチャンバの有効内容積が低減し得る。１つ以上の減容部材または流れ方向付け部材は、有効内容積中へのプレナムチャンバおよびデッドスペース体積への分割を行い、有効内容積とデッドスペース体積との間の流れを塞ぐするような構造および配置にされる。プレナムチャンバの有効内容積が低減すると、不要なデッドスペース体積が呼吸圧力治療の送達に必要な体積から分離され、これにより、患者が治療時に吸気する空気の体積が低減する。
【０１１３】
プレナムチャンバの体積が低下すると、特に、内容積が比較的大きいために患者の顔の一部を収容するためにさらなる不要なデッドスペース体積を持つ傾向のある患者インターフェース（例えば、フルフェース型マスク）の場合、患者が再呼吸し得るＣＯ２の体積が低下する。例えば、図９は、プレナムチャンバ６２００を規定する患者インターフェースのための例示的なフルフェース型のクッションアセンブリ６１７５を示す。クッションアセンブリ６１７５は、接続ポート６６００を包囲する多孔穴６８００を含む。このような実施例において、余分なデッドスペース体積ＤＳ１が、患者の鼻通路への入口の上側に設けられ、余分なデッドスペース体積ＤＳ２が、患者の口腔への入口の下側に設けられる。デッドスペース体積は、患者の鼻および／または口腔の側部の周囲に設けてもよいことが理解されるべきである。理論的実施例において、フルフェース型マスクは、各鼻通路周囲を密閉する２つの別個のチャンバと、口腔の周囲を密閉する第３のチャンバとを含む。鼻通路患者の口腔それぞれの周囲の残りの体積は、デッドスペース体積とみなされる。よって、本技術の態様は、プレナムチャンバを含む患者インターフェースに関連する。この患者インターフェースにより、加圧ガスを患者の気道の入口へ有効に送達させるために必要な最小体積が、患者の気道周囲の密閉を変化させるかまたは影響すること無く得られる。
【０１１４】
一般的に、プレナムチャンバの内容積が増加すると、ＣＯ２の再呼吸が増加する。例えば、フルフェース型マスクを使用している患者が再呼吸するＣＯ２の体積は、より小さなプレナムチャンバを有する鼻マスクを使用している患者が再呼吸するＣＯ２の体積よりも大きい。呼息ＣＯ２の有効逃げが内容積から孔を介して低減する（例えば、患者の気道と孔との間に配置されたプレナムチャンバ内の任意選択の熱／水分交換器（ＨＭＥ）が設けられる）と、ＣＯ２の再呼吸がさらに悪化し得、その結果、孔への呼息ＣＯ２の直接流れが妨げられる。すなわち、プレナムチャンバ内のＨＭＥにより、通気流れの流れインピーダンスが発生し、その結果ＣＯ２逃げの有効性が低下し、これにより、プレナムチャンバ内のＣＯ２蓄積が増加し、そのためＣＯ２再呼吸が増加する。
【０１１５】
呼吸圧力治療を可能にするために受容可能な特定の通気流れが存在するため、孔サイズの増加のみによりＣＯ２逃げの向上を可能にすることは必ずしも可能ではない。また、患者インターフェースにより患者の顔の所望の領域の周囲を密閉するために最小体積が必要になるため、プレナムチャンバの体積を低減することができない場合がある。例えば、例示的なフルフェース型マスクは、鼻ブリッジ、鼻の側部、頬、口腔の側部および顎上の下唇の下側に沿って密閉して最適な密閉を提供するように、適合される。
【０１１６】
ＣＯ２逃げに影響を与え得る別の態様として、孔の位置がある。例えば、呼息流れが孔を通じて周囲へ直接逃げることができるようにするための最適な位置に孔を配置することにより、ＣＯ２逃げ性能が向上し得る。しかし、孔位置にも制約がある。例えば、患者および患者と同床者から離隔方向に方向付けるように孔を配置する必要もある。ＨＭＥを用いた患者インターフェースの実施例において、通気時および患者送達前の水分損失を最小化させることによりＨＭＥの最大性能を確保するために、患者に対してＨＭＥの反対側に孔を配置する必要がある場合がある。
【０１１７】
そのため、本技術の一実施例による患者インターフェースは、ＣＯ２再呼吸の低減のためにプレナムチャンバの内容積を低減させつつ、呼吸圧力治療のために患者の鼻および／または口腔を密閉するような構造にされる。
【０１１８】
本技術の一実施例について、図１０に示すインターフェース型に関連して以下に説明する。図１０は、フルフェース型の患者インターフェース６０００（例えば、フルフェース型マスク）を示す。フルフェース型の患者インターフェース６０００は、フレーム部材６０５０と、クッションアセンブリ（例えば、フルフェース型のクッションアセンブリ６１７５）と、位置決め／安定化構造６３００と、エルボーまたは回りエルボー６５００とを含む。エルボー６５００は、患者インターフェースのプレナムチャンバ６２００との流体連通のためのガス送達管４１８０へ接続される。このようなインターフェース型のさらなる詳細および実施例について、ＰＣＴ公開第ＷＯ２０１５／００６８２６号に開示がある。本明細書中、同文献全体を参考のため援用する。
【０１１９】
（例えば、ポリカーボネートなどの比較的硬質のプラスチック材料によって構成された）フレーム部材６０５０により、クッションアセンブリ６１７５と位置決め／安定化構造６３００との間の接続が取り外し可能な様態またはより恒久的な様態によって行われて、密閉力が位置決め／安定化構造６３００からクッションアセンブリ６１７５へ送られる。フレーム部材６０５０は、一般的にシュラウド、ヘッドギア接続構造またはシャーシと呼ばれる場合もある。位置決め／安定化構造６３００のためのアームがフレーム部材６０５０へ設けられているため、クッションアセンブリ６１７５へ接続構造を設ける必要は無い。
【０１２０】
図示の実施例において、クッションアセンブリ６１７５により、前壁部位６１５０（例えば、前壁部位）を含む一体ユニットが得られる。前壁部位６１５０は、プレナムチャンバ６２００を形成するように密閉形成構造６１００へ接続されるかまたは別の場合に密閉形成構造６１００に設けられる。例えば、前壁部位６１５０は、密閉形成構造６１００へ恒久的に接続（例えば、ワンピースモールド、コモールド）してもよいし、あるいは取り外し可能に（例えば、機械的相互ロックにより）密閉形成構造６１００に接続してもよい。一実施例において、密閉形成構造６１００は、比較的可撓性のまたはしなやかな材料（例えば、シリコーンなどの弾性材料）によって構成され、前壁部位６１５０は、比較的剛性の材料（例えば、ポリカーボネート、ナイロン）によって構成される。
【０１２１】
前壁部位６１５０は、接続ポート６６００を包囲する多孔穴６８００を含む。多孔穴６８００は、エルボーまたは回りエルボー６５００へ接続される。
【０１２２】
患者によって再呼吸されるＣＯ２の体積を低減するために、本技術の一実施例による１つ以上の減容部材は、プレナムチャンバ６２００内の不要なデッドスペース体積を低減させるように、プレナムチャンバ６２００内に設けられる。１つ以上の減容部材は、プレナムチャンバ６２００を少なくとも２つの別個の異なるチャンバ（例えば、主要チャンバおよび少なくとも１つの周辺チャンバ）に分離、分割または区分するような構造にされる。
【０１２３】
図１１に示す図示の実施例において、減容部材は、可動フラップまたは隔壁６９００Ａおよび６９００Ｂの形態でプレナムチャンバ６２００内に設けられて、プレナムチャンバ６２００を主要チャンバＭＣと、第１の周辺チャンバＰＣ１および第２の周辺チャンバＰＣ２とに分離、分割または区分する。
【０１２４】
可動フラップ６９００Ａおよび６９００Ｂによって確立される主要チャンバＭＣは、ＣＯ２逃げのために接続ポート６６００、患者の気道および孔６８００と直接流体連通する。主要チャンバＭＣは、呼吸圧力治療時に呼吸可能なガスの流れを患者の気道の入口へ送達させるために必要である。
【０１２５】
可動フラップ６９００Ａおよび６９００Ｂによって確立される第１の周辺チャンバＰＣ１および第２の周辺チャンバＰＣ２は、不要なデッドスペース体積をプレナムチャンバ６２００内に含む。第１の周辺チャンバＰＣ１および第２の周辺チャンバＰＣ２は、主要チャンバＭＣと別個の異なるものである（例えば、プレナムチャンバ６２００の全体的有効内容積が主要チャンバＭＣの体積まで低下するように、第１の周辺チャンバおよび第２の周辺チャンバが主要チャンバから区分けされる）。そのため、主要チャンバＭＣによって設けられた有効体積により、再呼吸されるＣＯ２の体積が低減するため、ＣＯ２の再呼吸が低減する。
【０１２６】
図示の実施例において、各可動フラップ６９００Ａおよび６９００Ｂは、接続部位６９０５を提供する第１の端部を含む。接続部位６９０５は、クッションアセンブリ６１７５の前壁部位６１５０の内面へ設けられるかまたは別の様態で接続される。各可動フラップ６９００Ａおよび６９００Ｂは、端部６９１０を提供する第２の自由端も含む。端部６９１０は、患者の顔に向かって方向付けられるような構成または構造にされる。
【０１２７】
一実施例において、各可動フラップ６９００Ａおよび６９００Ｂは、クッションアセンブリ６１７５（例えば、挿入可能なまたはレトロフィット可能な可動フラップ）と別個に形成され、取り付けられる（例えば、接着剤、機械式キーインターロック。）あるいは、各可動フラップ６９００Ａおよび６９００Ｂは、クッションアセンブリ６１７５と一体にまたはワンピースとして形成してもよい（例えば、ワンピースモールド、コモールディング）。接続部位は、前壁部位へおよび／またはクッションアセンブリの密閉形成構造へ設けられるかまたは別の様態で取り付けられ得る点が理解されるべきである。
【０１２８】
一実施例において、各可動フラップ６９００Ａおよび６９００Ｂの端部６９１０は、端部６９１０が端部６９１０と患者の顔との間に隙間または空間を形成するように、患者の顔に向かって方向付けられるような構成または構造にされ、これにより、主要チャンバＭＣを第１の周辺チャンバＰＣ１および第２の周辺チャンバＰＣ２から分離させる隔壁または区画が得られる。可動フラップ６９００Ａおよび６９００Ｂは、呼吸圧力治療時の患者吸気および患者呼気全てが主要チャンバＭＣを介して発生するように、流れバイアスを生成する。このような配置構成により、より小さな体積のＣＯ２を逃がす孔が得られ、これにより、再呼吸されるＣＯ２の体積が低減される。周辺チャンバＰＣ１およびＰＣ２が加圧されると、患者の顔に対して密閉形成構造６１００の空気圧式密閉を提供するが、停滞状態のままである。すなわち、患者の呼吸サイクル時において周辺チャンバＰＣ１およびＰＣ２において空気は必ずしも出入りしないため、周辺チャンバＰＣ１およびＰＣ２中にＣＯ２は蓄積せず、その後吸気時に再呼吸される。
【０１２９】
一実施例において、可動フラップ６９００Ａおよび６９００Ｂのうち片方または双方は、端部６９１０が患者の顔と軽く係合しかつ主要チャンバＭＣを第１の周辺チャンバＰＣ１および第２の周辺チャンバＰＣ２から完全に密閉および分離しないように、患者の顔へ方向付けられ得る。別の実施例において、可動フラップ６９００Ａおよび６９００Ｂのうち片方または双方は、患者の顔に対して完全気密シールを形成するように患者の顔と係合するような構成または構造にされ得る。
【０１３０】
一実施例において、各可動フラップ６９００Ａおよび６９００Ｂは、比較的可撓性（例えば、シリコーンなどのエラストマー材料製）であり得、これにより、使用時に可動フラップが変形および／または撓むことが可能になる。図示の実施例において、各可動フラップ６９００Ａおよび６９００Ｂは、テーパー形状をその長さに沿って含む（例えば、より肉薄の端部６９１０へ向かってテーパー状に形成されたより肉厚の接続部位６９０５）。しかし、可動フラップは、主要チャンバＭＣと各周辺チャンバＰＣ１およびＰＣ２との間に障壁または区画を提供する他の適切な構造を持ち得ることが理解されるべきである。加えて、可動フラップは、その可撓性および／または密閉特性を向上させるための構造を含み得る（例えば、その長さに沿ったベローズまたはガセット、外形端部）。
【０１３１】
例えば、可動フラップは、接触圧力を低減させるような構造の肉薄の可撓性の膜フラップの形態をとり得、これにより、可動フラップが患者の顔に接触したときのあらゆる不快感が低減され得る。この可撓性により、可撓性の膜フラップが患者の顔の外形により良く適合することも可能になる。フラップ厚さは、例えば破裂の回避、分割されたチャンバ間の充分な分離の維持、および／または患者の顔への適合のための充分な可撓性の提供が可能になるように充分な剛性を提供するように、調整され得る。
【０１３２】
図示の実施例において、可動フラップ６９００Ａは、第１の周辺チャンバＰＣ１を確立するように配置された上側または上部可動フラップであり、可動フラップ６９００Ｂは、第２の周辺チャンバＰＣ２を確立するように配置された下側または下部可動フラップである。
【０１３３】
図１１に示すように、上側可動フラップ６９００Ａは、概して患者の鼻の鼻尖点領域に沿ってかつ鼻の各側部に沿って患者の顔へ方向付けられて、第１の周辺チャンバＰＣ１を主要チャンバＭＣから区画するようにな構成または構造にされる。しかし、上側可動フラップ６９００Ａは、患者の鼻の他の領域に向かって方向付けられるような構成または構造にしてもよいことが理解されるべきである。例えば、図１２は、鼻尖点領域の上方に（すなわち患者の鼻の鼻梁および患者の鼻の各側部に沿って）方向付けられるような構成または構造にされた上側可動フラップ６９００Ａの実施例を示す。一般的に、上側可動フラップ６９００Ａは、主要チャンバＭＣと患者の鼻通路との連通を塞がないかまたは回避しないように、患者の顔に向かって構成または構造にする必要がある。
【０１３４】
図１１に示すように、下側可動フラップ６９００Ｂは、概して患者の下唇の下側の領域に沿って（例えば、患者の顎領域に沿って）患者の顔に向かって方向付けられるような構成または構造にされる。一般的に、下側可動フラップ６９００Ｂは、主要チャンバＭＣと患者の口腔との間の連通を塞がないまたは妨げないように、患者の顔に向かって方向付けられるような構成または構造にされるべきである。
【０１３５】
図示のように、上側可動フラップ６９００Ａおよび下側可動フラップ６９００Ｂはそれぞれ、適切な長さ（例えば、接続部位から端部への経路に沿って測定された長さ）と、患者の顔のその各領域へ向かって方向付けられるような構成または構造にされた方向付け（例えば、前壁部位６１５０に対する接続点および方向付け角度）とを含む。上側可動フラップ６９００Ａおよび下側可動フラップ６９００Ｂは、患者の顔との所望の方向付けの調節および／またはチャンバ体積の調節および／またはチャンバ間の境界の調節を行うために、他の適切な長さ、形状、前壁部位との接続点および／または前壁部位に対する方向付け角度を含み得ることが理解されるべきである。また、長さおよび／または方向付けは、患者の顔の外形に適合するよう、フラップ幅に沿って変動し得る。
【０１３６】
図示の実施例において、上側可動フラップ６９００Ａおよび下側可動フラップ６９００Ｂは、第１の周辺チャンバＰＣ１および第２の周辺チャンバＰＣ２を規定する。第１の周辺チャンバＰＣ１および第２の周辺チャンバＰＣ２は、主要チャンバＭＣから分離されかつ相互に分離される。例えば、図１３を参照されたい。
【０１３７】
別の実施例において、図１４に示すように、単一の周辺可動フラップ６９００は、主要チャンバＭＣと、主要チャンバＭＣから分離された周辺チャンバＰＣとを確立するように、設けられ得る。本実施例において、可動フラップ６９００は、周辺区画を確立することと、側部を介して連通する上側部位および下側部位を含む単一の周辺チャンバＰＣを確立することとを行うように、適合される。
【０１３８】
１つ以上の可動フラップが、主要チャンバから分離された１つ以上の周辺チャンバを確立するような他の適切な様態でプレナムチャンバ内に配置され得ることが理解されるべきである。例えば、図１５は、主要チャンバＭＣおよび単一の上側周辺チャンバＰＣを規定する可動フラップ６９００を示す。図１６は、主要チャンバＭＣならびに周辺の上側チャンバＰＣ１、下側チャンバＰＣ２ならびに側部チャンバＰＣ３およびＰＣ４を規定する可動フラップ６９００Ａ、６９００Ｂ、６９００Ｃおよび６９００Ｄを示す。
【０１３９】
１つ以上の減容部材（例えば、１つ以上の可動フラップ６９００）をプレナムチャンバ６２００内に設けると、プレナムチャンバ６２００の内容積を密閉形成構造６１００の改変または変更無しに低減させることが可能になるため、有利である。このような配置構成の場合、ＣＯ２の再呼吸の低減のためにプレナムチャンバ６２００の有効内容積を低減させつつ、密閉性能へのあらゆる影響も回避される。例えば、フルフェース型マスクの場合、密閉形成構造６１００は、鼻および口腔を包囲することと、鼻ブリッジ領域、鼻領域の側部、頬領域、口腔領域の側部および患者の顔の顎領域上の下唇の下側に沿って密閉を形成することとを行うように、適合される。この典型的な構成において、プレナムチャンバ６２００の不要な余分な体積またはデッドスペース体積（例えば、図９中のデッドスペース体積ＤＳ１およびＤＳ２を参照）が鼻孔の入口の上方および患者の口腔の下方に配置され、呼吸可能なガスの流れを患者の気道の入口へ送達させる際には不要であることが多い。この余分な体積またはデッドスペース体積により、プレナムチャンバ６２００の内部のＣＯ２ガスの体積が増加し、その結果、再呼吸されるＣＯ２の体積も増加する。しかし、この余分の体積またはデッドスペース体積は、患者の顔の一部を収容することと、密閉形成構造が例えば鼻孔の入口の上方において鼻ブリッジおよび患者の顔の鼻領域の側部に沿って密閉を形成することとのために必要になり得る。鼻の骨部を密閉すると、密閉を維持するための充分な力を（鼻通路を塞ぐこと無く）付加することが一般的に可能になる。そのため、フルフェース型マスクは、密閉安定性の維持および鼻閉塞の回避のためのこの密閉構成に限られることが多い。よって、１つ以上の減容部材を設けると、フルフェース型マスクの場合に一般的な再呼吸されるＣＯ２の体積を低減させるための実行可能な解決法が得られる。
【０１４０】
図１７は、本技術の別の実施例による患者インターフェースを示す。図１８および図１９は、患者の呼気および吸気それぞれの時のこのような患者インターフェースのための例示的な空気流れ経路を示す。図示のように、患者インターフェースは、密閉部材ＡＳ１およびＡＳ２と、加圧ポートＰＰ１およびＰＰ２とをさらに含む。
【０１４１】
密閉部材ＡＳ１およびＡＳ２により、患者インターフェースの機能デッドスペース体積を低減させるように、プレナムチャンバ６２００が主要チャンバＭＣと、第１の周辺チャンバＰＣ１および第２の周辺チャンバＰＣ２とに分離される。本実施例において、加圧ポートＰＰ１およびＰＰ２により、周辺チャンバまたは体積ＰＣ１およびＰＣ２が流路３Ｂおよび３Ｃそれぞれによって加圧される（図１９を参照）。これらの周辺体積ＰＣ１およびＰＣ２の加圧は、患者の顔上への有効密閉を提供するために必要になり得る。別の実施例において、プレナムチャンバは、それぞれ少なくとも１つの加圧ポートを備えた単一の周辺体積または３つ以上の周辺体積を含み得る。
【０１４２】
呼気時（図１８を参照）において、呼気流の一部がガス逃がし孔６８００（例えば、流路１Ａ）から直接流出する場合がある。加えて、この流れのうち一部は、空気送達導管（例えば、流路１Ｂ）へ流れ落ち得る。さらに、密閉漏洩５を介して漏洩経路が発生した場合、差圧に起因してこの流れの一部が加圧ポートＰＰ１およびＰＰ２（例えば、流路４Ａおよび４Ｂ）を介して周辺体積ＰＣ１およびＰＣ２に流入し得る。
【０１４３】
吸気時（図１９）において、流れ１Ｂのうち少なくとも一部が吸気流れ６Ａによってガス逃がし孔６８００から変位するため、ＣＯ２をより多く含む呼気流が再呼吸時に患者へ再度送達されることが回避されるかまたは少なくとも低減される。さらに、流路４Ａおよび４Ｂを介して周辺体積ＰＣ１およびＰＣ２中に残留しているＣＯ２をより多く含む呼気流は全て、密閉部材ＡＳ１およびＡＳ２によって患者の気道の入口へ再度送達されることが回避されるため、再呼吸が回避される。一実施例において、周辺体積ＰＣ１およびＰＣ２中に残留しているＣＯ２をより多く含む呼気流は、実質的な差圧（すなわち、主要チャンバＭＣ中のより低い相対圧力）が有った場合に呼吸不快感を引き起こすレベルで主要チャンバＭＣ中のみに流れ得る。このようなレベルは、吸気時において流れ生成器からの吸気流れ６Ｃによって回避される。そのため、密閉部材ＡＳ１およびＡＳ２は、患者インターフェース内のＣＯ２の再呼吸を低減させるための多数の様態で機能する。例えば、密閉部材ＡＳ１およびＡＳ２は、患者の気道と孔６８００との間の体積を低減させるように機能する。さらに、密閉部材ＡＳ１およびＡＳ２は、呼気時にプレナムチャンバ中に残留した可能性のあるＣＯ２をより多く含むあらゆる呼気流がその後再配達されて患者によって再呼吸される自体を回避する。すなわち、密閉部材ＡＳ１およびＡＳ２は、本実施例において物理的な障壁として機能する。
【０１４４】
図２０および図２１は、患者の呼気時および吸気時それぞれにおけるこのような患者インターフェースのための例示的な空気流れ経路を含む、本技術の別の実施例による患者インターフェースを示す。図示のように、患者インターフェースは、隔壁部材ＢＦ１およびＢＦ２を含む。
【０１４５】
上記の実施例と同様に、隔壁部材ＢＦ１およびＢＦ２は、呼気流（例えば、図２０中の流路１Ｃおよび１Ｄを参照）を周辺体積ＰＣ１およびＰＣ２から離隔方向にかつガス逃がし孔６８００（例えば、図２０中の流路１Ａを参照）へ向かって再方向付けするような構造および配置にされる。一部の呼気流は、孔６８００を迂回し、空気送達導管（例えば、図２０中の流路１Ｂを参照）を流れ落ち得る。
【０１４６】
吸気（図２１）時において、ＣＯ２をより多く含む呼気流の大部分または全ては、流れ生成器からの吸気流れによって変位し（例えば流路６Ａを参照）、方向付けられて孔６８００から出て行く（例えば流路６Ａ〜１Ｂを参照）。一実施例において、密閉漏洩５が少しでも発生した場合、周辺体積ＰＣ１およびＰＣ２中の圧力が低下し得、その結果、流れ３Ｂおよび３Ｃが主要チャンバＭＣからこれらの周辺体積中へ流入し得る。しかし、隔壁部材ＢＦ１およびＢＦ２は、ＣＯ２をより多く含む呼気流がこれらの周辺体積中へ流入することを回避するかまたは少なくとも制限するような構造および配置にされる。ＣＯ２をより多く含む呼気流が周辺体積ＰＣ１およびＰＣ２中に流入する実施例において、隔壁部材ＢＦ１およびＢＦ２は、流れが主要チャンバＭＣ中に戻って患者によって再呼吸される事態を回避し得る。さらに、周辺体積ＰＣ１およびＰＣ２中に残留しているＣＯ２をより多く含む呼気流が漏洩５を介して周辺に通気することが予期される。
【０１４７】
そのため、隔壁部材ＢＦ１およびＢＦ２は、呼気流を孔に向かってかつさらなる体積（例えば、周辺体積またはチャンバＰＣ１およびＰＣ２）から離隔方向に方向付けることにより、患者によって再呼吸されるＣＯ２を低減させる機能をする。さらに、隔壁部材ＢＦ１およびＢＦ２は、吸気時にプレナムチャンバ内に残留し得るＣＯ２をより多く含む呼気流の再呼吸を最小化または回避するための流れ障壁として機能する。
【０１４８】
ＨＭＥおよび１つ以上の減容部材
上記したように、１つ以上の減容部材を設けることにより、熱／水分交換器（ＨＭＥ）がプレナムチャンバ内に設けられた場合におけるＣＯ２の再呼吸の低減に対する実行可能な解決方法も提供される。ＨＭＥは、患者気道と孔との間の流路内に配置され、（プレナムチャンバ内のＣＯ２蓄積の原因となり得る）孔を介して退出する呼気流れを妨げる。このような問題の可能性は、より大きな内容積のプレナムチャンバ（例えば、フルフェース型マスク）においてより一般的である。本技術の一実施例による１つ以上の減容部材を設ければ、プレナムチャンバの有効内容積を低減させて、ＨＭＥ付き患者インターフェース内において再呼吸されるＣＯ２の体積を低減させることができる。
【０１４９】
例えば、図２２に示す患者インターフェース６０００は、例えば交換可能なカートリッジの形態の任意選択のＨＭＥ６００５を収容するような構造にされ、これにより、治療時において充分な熱および湿度が患者へ提供される。一実施例において、ＨＭＥ６００５は、クッションアセンブリ６１７５の前壁部位によって一体化されるかまたは別の様態で支持され得る。図示の実施例において、孔６８００は、エルボーまたは回りエルボー６５００へ設けられる。
【０１５０】
上記実施例と同様に、上側可動フラップ６９００Ａおよび下側可動フラップ６９００Ｂは、プレナムチャンバ６２００の有効内容積を低減させるために主要チャンバＭＣならびに主要チャンバＭＣから分離された周辺チャンバＰＣ１およびＰＣ２を確立するように、プレナムチャンバ６２００内に設けられる。
【０１５１】
ＣＯ２の再呼吸の低減のためにプレナムチャンバ６２００の有効体積を低減させることに加えて、ＨＭＥ付きシステム中の体積を低減させることにより別の恩恵として、加熱および加湿のためにＨＭＥを必要とする主要チャンバＭＣの体積が低減することがある。そのため、可動フラップ６９００Ａおよび６９００Ｂは、患者が吸気するガスの体積を加湿および加熱するためのＨＭＥの有効性も増加させる。加えて、患者とＨＭＥとの間の体積を低減させると、呼気時においてより多くの熱および水分がこの体積中に捕獲される。
【０１５２】
図２３は、本技術の別の実施例によるＨＭＥ６００５を備えた患者インターフェースを示す。図２４および図２５は、患者呼気時および吸気時それぞれにおけるこのような患者インターフェースのための例示的な空気流れ経路を示す。図示のように、患者インターフェースは、さらなる密閉部材ＡＳ１およびＡＳ２と、加圧ポートＰＰ１およびＰＰ２とを含む。
【０１５３】
図示の実施例において、密閉部材ＡＳ１は、鼻孔入口の上側を密閉し得、密閉部材ＡＳ２は、口腔入口の下側を密閉し得る。あるいは、さらなる密閉部材は単一のシールであり得、クッションアセンブリのプレナムチャンバ内において口腔および鼻周囲を密閉する。別の実施例において、密閉部材ＡＳ１は、鼻孔入口の周囲を密閉し得、密閉部材ＡＳ２は、口腔入口周囲を密閉し得る。図１２に示すように、密閉部材ＡＳ１は、プレナムチャンバ６２００を分離して周辺チャンバＰＣ１を形成し、密閉部材ＡＳ２は、プレナムチャンバを分離して周辺チャンバＰＣ２を形成する。主要チャンバＭＣは、加圧空気流れを患者の気道の入口へ送達させるための有効内容積を含むように、密閉部材ＡＳ１と密閉部材ＡＳ２との間に形成される。プレナムチャンバは、ＨＭＥ６００５も含む。ＨＭＥ６００５は、支持構造によって主要チャンバＭＣ内に配置され、患者の気道の入口と直接流体連通する。主要チャンバＭＣは、ＨＭＥ６００５の前側（流れ生成器側）に配置された各加圧ポートＰＰ１およびＰＰ２を介して周辺チャンバＰＣ１およびＰＣ２と流体連通する。加圧ポートＰＰ１およびＰＰ２により、周辺チャンバＰＣ１およびＰＣ２の加圧を主要チャンバＭＣから独立して行うことができる。周辺チャンバＰＣ１の加圧により、鼻孔の上側の領域における密閉形成構造による密閉が支援される。同様に、周辺チャンバＰＣ２の加圧により、口腔の下側の領域における密閉形成構造による密閉が支援される。
【０１５４】
図２４に示す呼気時において、密閉部材ＡＳ１およびＡＳ２により、一定体積の呼気された空気がＨＭＥ６００５を通じて（周辺チャンバＰＣ１またはＰＣ２いずれかに流入すること無く）主要チャンバＭＣに流入することが保証される。その結果、呼気された空気中の水分および湿度が主要チャンバＭＣの患者側内において獲得されるかまたは再送達のためにＨＭＥ６００５内に保持される。図２４に示すように、呼気された空気の体積は、未だ下流において前進し得、通気流れ１Ａを通じて孔６８００から退出し得るか、または、さらなる呼気された流れ１Ｂを介して空気送達導管を下降し得る。本実施例において、密閉部材ＡＳ１およびＡＳ２により、通気流れ１Ａおよびさらなる呼気された流れ１Ｂの水分および熱をＨＭＥ６００５内に保持した後、孔６８００から退出させることが保証される。密閉形成構造を介して漏洩流れ５が存在する場合、主要チャンバＭＣと比較して、周辺チャンバＰＣ１またはＰＣ２のいずれかの間に差圧が発生し得る。すなわち、周辺チャンバＰＣ１またはＰＣ２から漏洩流れ５を介して圧力が失われ得る。この場合、加圧流路４Ａおよび４Ｂが、差圧に起因して加圧ポートＰＰ１〜ＰＰ２を通じて退出し得る。図２４に示すように、呼気時に加圧流路４Ａおよび４Ｂが発生した場合、ＨＭＥ６００５の前側（流れ生成器側）に加圧ポートＰＰ１およびＰＰ２を配置すると、ＨＭＥ６００５を通じて既に流れた一定体積の呼気空気から加圧流路４Ａおよび４Ｂが発生することが保証される。よって、この構成により、漏洩流れ５を通じて失われるガスの体積が、熱および水分がＨＭＥ６００５によって既に保持された場合の体積に限定されることが保証される。
【０１５５】
図２５に示す吸気時において、吸気マスク流れ６ＣがＨＭＥ６００５を通過している間に加熱および再加湿されて、加熱および加湿された空気を圧力において患者の気道の入口へ送達させる。上記したように、ＣＯ２をより多く含む呼気流のうちほとんどまたは全てが流れ生成器からの吸気流れ（例えば、流路６Ａを参照）によって変位され、孔６８００から方向付けられる（例えば、流路６Ａ〜１Ｂを参照）。漏洩流れ５が発生した場合、周辺チャンバＰＣ１およびＰＣ２が加圧されて、各吸息加圧流路３Ｂおよび３Ｃを介して圧力損失を補償する。ここでも、この構成により、ＨＭＥ６００５によって加熱または加湿されていない一定体積の空気から吸息加圧流路３Ｂおよび３Ｃが発生することが保証される。
【０１５６】
図２６は、本技術の別の実施例によるＨＭＥ６００５付きの患者インターフェースを示す。図２７および図２８は、患者の呼気時および吸気時それぞれにおける。このような患者インターフェースのための例示的な空気流れ経路を示す。図示のように、患者インターフェースは、隔壁部材ｓＢＦ１およびＢＦ２と、漏洩ポートＬＰ１およびＬＰ２を含むＨＭＥ６００５とを含む。
【０１５７】
図２７に示すような呼気時において、隔壁ＢＦ１およびＢＦ２は、呼気流を周辺チャンバＰＣ１およびＰＣ２から離隔方向に方向付け得、これにより、呼気流のうち大部分は熱および水分獲得のためにＨＭＥ６００５を通じて方向付けられる。すなわち、隔壁ＢＦ１およびＢＦ２は、流路ＬＰ１またはＬＰ２と比較して、通気流れ１Ａに対する抵抗が最も小さな経路を提供し得る。それででも、呼気された一定体積の空気は、下流に進み、通気流れ１Ａを通じて孔６８００から退出し得るかまたはさらなる呼気された流れ１Ｂを介して空気送達導管を下方に進み得る。隔壁ＢＦ１およびＢＦ２は、密閉漏洩経路５を通じて呼気流からの水分損失を最小化する流れ方向付け器として機能する。呼気時に漏洩経路５を通じて漏洩が発生した場合、その結果発生した周辺チャンバＰＣ１およびＰＣ２中の差圧に起因して、（流路１Ｃまたは１Ｄを介した主要チャンバＭＣからではなく）流路４Ａおよび４Ｂを介して漏洩が発生する。すなわち、隔壁ＢＦ１およびＢＦ２は、主要チャンバＭＣからの呼気流の漏洩が、熱および水分保持のために既にＨＭＥ６００５を通過してきた流れに限定されるように、流れを方向付ける。よって、漏洩を通じた水分損失が呼気流から最小化される。
【０１５８】
図２８に示すような吸気時において、隔壁部材ＢＦ１およびＢＦ２は、ＨＭＥ６００５を通じて周辺チャンバＰＣ１およびＰＣ２から離隔方向かつ患者の気道の入口へ向かう方向に既に流れた吸気流れ６Ｃを方向付けるように機能する。さらに、漏洩ポートＬＰ１およびＬＰ２により、吸気時の周辺チャンバＰＣ１およびＰＣ２中ヘの流れがＨＭＥ６００５（例えば、流路３Ｂおよび３Ｃ）を通過していない流れから発生することが促進される。すなわち、密閉漏洩５に起因して周辺チャンバＰＣ１およびＰＣ２中の圧力が主要チャンバＭＣと比較して低下した場合、漏洩ポートＬＰ１およびＬＰ２を患者に対してＨＭＥ６００５の反対側に配置することにより、吸気流れがＨＭＥ６００５を迂回して、周辺チャンバＰＣ１およびＰＣ２中に流入した後周囲に流れることが可能になる。よって、漏洩ポートＬＰ１およびＬＰ２により、ＨＭＥ６００５からの水分損失が制限される。
【０１５９】
本技術の一実施例により１つ以上の減容部材は、任意の適切なサイズおよび構成の患者インターフェースのプレナムチャンバに適用することが可能であることが理解されるべきである。例えば、プレナムチャンバは、多様な様態で確立され得、１つ以上の多様な材料特性を有する１つ以上の多様な材料によって形成され得る（例えば、一体型のワンピースプレナムチャンバ、プレナムチャンバを規定するように取り付けられたかまたは別の様態で形成された１つ以上の別個の構成要素）ことが理解されるべきである。このような別の実施例において、１つ以上の減容部材は、チャンバの前壁部位および／またはチャンバの密閉形成構造へ設けられ得る（例えば、接続され得る）。
【０１６０】
また、本技術の態様について、より大きな内容積の患者インターフェース（例えば、フルフェース型マスク）への特定の用途を持つものとして述べてきた。しかし、本技術の１つ以上の態様は、他の適切なインターフェース種類（例えば、デッドスペース体積の低減（例えば、ＣＯ２の再呼吸の改善および／またはＨＭＥの有効性向上）のための鼻マスク）に適用され得ることが理解されるべきである。
【０１６１】
５．３．３  位置決めおよび安定化構造
本技術の患者インターフェース３０００の密閉形成構造３１００は、使用時において位置決めおよび安定化構造３３００によって密閉位置において保持され得る。
【０１６２】
本技術の一形態において、患者が睡眠時に装着されるように構成された位置決めおよび安定化構造３３００が提供される。一実施例において、位置決めおよび安定化構造３３００は、装置の感知される嵩または実際の嵩を低減するように、目立たない外形または断面厚さを有する。一実施例において、位置決めおよび安定化構造３３００は、矩形断面を有する少なくとも１つのストラップを含む。一実施例において、位置決めおよび安定化構造３３００は、少なくとも１つの平坦ストラップを含む。
【０１６３】
本技術の一形態において、位置決めおよび安定化構造３３００は、織物患者接触層、発泡材料内側層および織物外側層の積層物から構成されたストラップを含む。一形態において、発泡材料は、湿気（例えば、汗）がストラップを通過できるような多孔性である。一形態において、織物外側層は、フック材料部分と係合するループ材料を含む。
【０１６４】
本技術の特定の形態において、位置決めおよび安定化構造３３００は、伸張可能である（例えば、弾力性と共に伸張可能である）ストラップを含む。例えば、ストラップは、使用時にはピンと張った状態にされて、クッションを患者の顔の一部と密着させる力を方向付けるように、構成され得る。一実施例において、ストラップは、タイとして構成され得る。
【０１６５】
本技術の特定の形態において、位置決めおよび安定化構造３３００は、屈曲可能であり例えば非剛性であるストラップを含む。本態様の利点として、患者が睡眠時に体を横たえたときにストラップがより快適になっている点がある。
【０１６６】
本技術の特定の形態において、位置決め／安定化構造３３００により、特定のサイズの頭部および／または形状の顔に対応するように構成された保持力が得られる。例えば、一形態の位置決め／安定化構造３３００により、小さなサイズの頭ではなく大きなサイズの頭に適した保持力が得られる。別の実施例において、位置決め／安定化構造３３００の一形態により、大きなサイズの頭ではなく小さなサイズの頭に適した保持力が得られる。
【０１６７】
５．３．４  通気
一形態において、患者インターフェース３０００は、吐き出されたガス（例えば、二酸化炭素）の押し出しを可能にするように構成および配置された通気部３４００を含む。
【０１６８】
本技術による一形態の通気部３４００は、複数の穴（例えば、約２０個〜約８０個の穴または約４０個〜約６０個の穴または約４５個〜約５５個の穴）を含む。
【０１６９】
通気部３４００は、プレナムチャンバ３２００内に配置され得る。あるいは、通気部３４００は、非連動構造（例えば、回り継ぎ手）内に配置される。
【０１７０】
５．３．５  非連動構造（単数または複数）
一形態において、患者インターフェース３０００は、少なくとも１つの非連動構造（例えば、回り継ぎ手または球窩）を含む。
【０１７１】
５．３．６  接続ポート
接続ポート３６００は、空気回路４１７０への接続を可能にする。
【０１７２】
５．３．７  前額支持部
一形態において、患者インターフェース３０００は、前額支持部３７００を含む。
【０１７３】
５．３．８  窒息防止弁
一形態において、患者インターフェース３０００は、窒息防止弁を含む。
【０１７４】
５．３．９  ポート
本技術の一形態において、患者インターフェース３０００は、プレナムチャンバ３２００内の量へのアクセスを可能にする１つ以上のポートを含む。一形態において、これにより、臨床医が補充酸素を供給することが可能になる。一形態において、これにより、プレナムチャンバ３２００内のガス（例えば、圧力）の特性を直接測定することが可能になる。
【０１７５】
５．４  用語集
本技術の開示目的のため、本技術の特定の形態において、以下の定義のうち１つ以上が適用され得る。本技術の他の形態において、別の定義も適用され得る。
【０１７６】
５．４．１  一般
空気：本技術の特定の形態において、空気は大気を意味し得、本技術の他の形態において、空気は、他の呼吸可能なガスの組み合わせ（例えば、酸素を豊富に含む大気）を意味し得る。
【０１７７】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０１７８】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０１７９】
別の実施例において、雰囲気圧力は、身体の直接周囲または外部の圧力であり得る。
【０１８０】
特定の形態において、雰囲気（例えば、音響）ノイズは、例えばＲＰＴデバイスから発生するかまたはマスクまたは患者インターフェースから発生するノイズ以外の、患者の居る部屋の中のバックグラウンドノイズレベルとみなすことができる。雰囲気ノイズは、部屋の外のソースから発生し得る。
【０１８１】
自動的な気道陽圧（ＡＰＡＰ）療法：ＳＤＢ発症の通知の存在または不在に応じて、例えば、呼吸間に最小限界と最大限界との間で治療圧力を自動的に調節することが可能なＣＰＡＰ療法。
【０１８２】
経鼻的持続陽圧呼吸療法（ＣＰＡＰ）療法：治療圧力が患者の呼吸サイクルを通じてほぼ一定である呼吸圧療法。いくつかの形態において、気道への入口における圧力は、呼気時において若干上昇し、吸入時において若干低下する。いくつかの形態において、圧力は、患者の異なる呼吸サイクル間において変動する（例えば、部分的な上側気道妨害の通知の検出に応答して増加され、部分的な上側気道妨害の通知の不在時において低減される）。
【０１８３】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」と呼ぶ場合もある。
【０１８４】
患者の呼吸の実施例において、流量は、患者の呼吸サイクルの吸気部分に対してノミナルに陽圧であり得るため、患者の呼吸サイクルの呼気部分に対して負であり得る。合計流量Ｑｔは、ＲＴデバイスから送出される空気の流量である。合計流量Ｑｔは、ＲＰＴデバイスから退出する空気の流量である。通気孔流量Ｑｖは、吐き出されたガスの流出を可能にするために通気孔から退出する空気の流量である。漏洩流量Ｑｌは、患者インターフェースシステムまたは他の場所からの漏洩の流量である。呼吸流量Ｑｒは、患者の呼吸系中に受容される空気の流量である。
【０１８５】
漏洩：「漏洩」という用語は、意図しない空気流れとしてとられる。一実施例において、漏洩は、マスクと患者の顔との間のシールが不完全であることに起因して発生し得る。別の実施例において、漏洩は、周囲に対する回りエルボーにおいて発生し得る。
【０１８６】
ノイズ伝導（音響）：本文書において、伝導ノイズとは、空気圧式経路（例えば、空気回路および患者インターフェースおよびその内部の空気）によって患者へ搬送されるノイズを指す。一形態において、伝導ノイズは、空気回路の端部における音圧レベルを測定することにより、定量化され得る。
【０１８７】
ノイズ放射（音響)：本文書において、放射ノイズとは、周囲空気によって患者へ搬送されるノイズを指す。一形態において、放射ノイズは、当該対象の音響パワー／圧力レベルをＩＳＯ３７４４に従って測定することにより、定量化され得る。
【０１８８】
ノイズ通気（音響）：本文書において、通気ノイズとは、任意の通気（例えば、患者インターフェース中の通気穴）を通じた空気流れにより生成されるノイズを指す。
【０１８９】
患者：呼吸疾患に罹患しているかまたはしていない人。
【０１９０】
圧力:：単位面積あたりの力。圧力は、多様な単位で表現測定され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０１９１】
患者インターフェース中の圧力には記号Ｐｍが付与され、現時点においてマスク圧力Ｐｍが達成すべき目標値を表す治療圧力には記号Ｐｔが付与される。
【０１９２】
呼吸圧力治療（ＲＰＴ）：雰囲気に対して典型的には陽圧である治療圧力における空気供給の気道入口への付加。
【０１９３】
人工呼吸器：患者が呼吸動作の一部または全てを行い際に圧力補助を提供する機械的デバイス。
【０１９４】
５．４．１．１  材料
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０１９５】
ポリカーボネート：典型的には、ビスフェノールＡカーボネートの透明な熱可塑性ポリマーである。
【０１９６】
５．４．１．２  機械的特性
弾性：弾性変形時にエネルギーを吸収することおよび除荷時にエネルギーを解放することが可能な材料の能力。
【０１９７】
「弾性」：除荷時に実質的に全てのエネルギーを解放する。例えば特定のシリコーンおよび熱可塑性エラストマーを含む。
【０１９８】
硬度：材料自体の変形に抵抗する能力（例えば、ヤング係数または規格化されたサンプルサイズ上において測定された押込硬さスケールによって記述されたもの）。
【０１９９】
「軟性」材料は、シリコーンまたは熱可塑性エラストマー（ＴＰＥ）を含み得、例えば指圧力下において容易に変形し得る。
【０２００】
「硬質」材料は、ポリカーボネート、ポリプロピレン、鋼またはアルミニウムを含み得、例えば指圧力下において容易に変形し得ない。
【０２０１】
構造または構成要素の剛度（または剛性）：構造または構成要素が負荷を受けたときに変形に抵抗する能力。負荷は、力またはモーメントであり得る（例えば、圧縮、張力、屈曲またはねじれ）。構造または構成要素は、異なる方向において異なる抵抗を提供し得る。
【０２０２】
「フロッピー」構造または構成要素：自重を支持させられた際に比較的短期間（例えば、１秒）以内に形状を変化させる（例えば、屈曲する）構造または構成要素。
【０２０３】
「剛性」の構造または構成要素：使用時において典型的に遭遇する負荷を受けた際に実質的に形状変化の無い構造または構成要素。このような使用の一実施例として、患者気道への入口との密閉関係を持つ患者インターフェースをおよそ２０〜３０ｃｍＨ２Ｏの圧力の負荷において設定および維持することがあり得る。
【０２０４】
一実施例として、Ｉ型鋼は、第２の直角方向と比較して第１の方向におい異なる屈曲剛度（屈曲負荷に対する抵抗）を含み得る。別の実施例において、構造または構成要素は、第１の方向においてはフロッピーであり得、第２の方向においては剛性であり得る。
【０２０５】
５．４．２  呼吸サイクル
無呼吸：いくつかの定義によれば、無呼吸とは、所定の閾値を下回った流れが例えば１０秒間の継続期間にわたって継続した場合に発生したと言われる。閉塞性無呼吸とは、患者の努力にもかかわらず、何らかの気道閉塞により空気の流れが許されないときに発生すると言われる。中枢性無呼吸とは、気道が開通しているにも関わらず呼吸努力の低下または呼吸努力の不在に起因して無呼吸が検出された状態を指すと言われる。混合無呼吸とは、呼吸努力の低下または不在が気道閉塞と同時発生した状態を指すと言われる。
【０２０６】
呼吸数：通常は１分当たりの呼吸回数で測定される、患者の自発呼吸数。
【０２０７】
負荷サイクル：吸入時間Ｔｉの合計呼吸時間Ｔｔｏｔに対する比。
【０２０８】
労作（呼吸）：呼吸努力は、呼吸しようとしている人の自発呼吸によって行われる動きを指すと言われる。
【０２０９】
呼吸サイクルの呼気部分：呼気流れの開始から吸気流れの開始までの期間。
【０２１０】
流量制限：流量制限は、患者による努力の増大が流量の対応する増大を引き起こさない患者の呼吸における状況であると解釈される。呼吸サイクルの吸気部分において流量制限が発生した場合、当該流量制限は吸気流量制限と称することができる。呼吸サイクルの呼気部分において流量制限が発生した場合、当該流量制限は呼気流量制限と称することができる。
【０２１１】
流れ制限吸息の波形の種類：
(ｉ)平坦化：上昇の後に比較的平坦な部位が続いた後、下降が発生すること。
(ｉｉ)Ｍ字型：立ち上がりにおいて１つおよび立ち下がりにおいて１つの２つの局所的ピークを持ち、これら２つのピークの間に比較的平坦な部位がある。
(ｉｉｉ)椅子状：単一の局所的ピークを持ち、このピークが立ち上がり部分に発生した後、比較的平坦な部位が続く。
(ｉｖ)逆椅子状：比較的平坦な部位の後に単一の局所的ピークが続き、このピークが立ち下がり部分に発生する。
【０２１２】
呼吸低下：一部の定義によれば、呼吸低下は、流れの中断ではなく、流れの低下を意味する。一形態において、閾値速度を下回った流れ低下が継続期間にわたって続いた場合、呼吸低下が発生したと言われる。呼吸努力の低下に起因して呼吸低下が検出された場合、中枢性呼吸低下が発生したと言われる。成人の一形態において以下のうちいずれかが発生した場合、呼吸低下と見なされ得る：
（ｉ）患者呼吸の３０％の低下が少なくとも１０秒＋関連する４％の脱飽和、または、
（ｉｉ）患者呼吸の（５０％未満の）低下が少なくとも１０秒間継続し、関連して脱飽和が少なくとも３％であるかまたは覚醒が発生する。
【０２１３】
過呼吸：流れが通常の流量よりも高いレベルまで増加すること。
【０２１４】
呼吸サイクルの呼気部分：吸気流れの開始から吸気流れの開始までの期間が、呼吸サイクルの吸気部分としてとられる。
【０２１５】
開通性(気道)：気道が開いている度合いまたは気道が開いている範囲。気道開通性とは、開口である。気道開通性の定量化は、開通性を示す値（１）と、閉鎖（閉塞）を示す値（０）と共に行われ得る。
【０２１６】
呼吸終末陽圧（ＰＥＥＰ）：肺中の大気を越える圧力であり、呼気終了時に存在する。
【０２１７】
ピーク流量(Ｑｐｅａｋ)：呼吸流れ波形の吸気部分における流量最大値。
【０２１８】
呼吸気流量、空気流量、患者の空気流量、呼吸気空気流量（Ｑｒ）：これらの用語は、ＲＰＴデバイスの呼吸空気流量の推定を指すものとして理解され得、通常リットル／分で表される患者の実際の呼吸流量である「真の呼吸流量」または「真の呼吸気流量」と対照的に用いられる。
【０２１９】
１回換気量（Ｖｔ）：余分な努力をせずに通常の呼吸時に吸い込まれたかまたは吐き出された空気の量である。
【０２２０】
（吸気）時間（Ｔｉ）：呼吸流量波形の吸気部分の継続期間。
【０２２１】
（呼気）時間（Ｔｅ）：呼吸流量波形の呼気部分の継続期間。
【０２２２】
（合計）時間（Ｔｔｏｔ）：呼吸流量波形の一つの吸気部分の開始と呼吸流量波形の次の吸気部分の開始との間の合計継続期間。
【０２２３】
典型的な最近の換気：所定の間スケールにわたる換気Ｖｅｎｔの直近値が密集する傾向となる換気値（すなわち、換気の直近値の中心の傾向の度合い）。
【０２２４】
上気道閉塞(ＵＡＯ)：部分的な上気道閉塞および合計上気道閉塞両方を含む。上側気道上の圧力差の増加（スターリングレジスタ挙動）と共に流量がわずかに増加するかまたは低下し得る流量制限の状態と関連し得る。
【０２２５】
換気(Ｖｅｎｔ)：患者の呼吸システムによって行われるガス交換率の測定。換気の測定は、単位時間あたりの吸息および呼気流のうち片方または双方を含み得る。１分あたりの体積として表される場合、この量は、「分換気」と呼ばれることが多い。分換気は、単に体積として付与されることもあり、１分あたりの体積として理解される。
【０２２６】
５．４．３  換気
適応サーボ人工呼吸器（ＡＳＶ）：一定の目標換気を持つのではなく変更が可能なサーボ人工呼吸器。変更可能な目標換気は、患者の何らかの特性（例えば、患者の呼吸特性）から学習され得る。
【０２２７】
バックアップレート：人工呼吸器のパラメータであり、（自発呼吸努力によってトリガされない場合に）人工呼吸器から患者へ送達される最小呼吸速度（典型的には、１分あたりの呼吸数）を確立させる。
【０２２８】
サイクル：人工呼吸器の吸息フェーズの終了。自発呼吸をしている患者へ人工呼吸器から呼吸を送達する場合、呼吸サイクルの吸息部分の終了時において、当該人工呼吸器は、呼吸送達を停止するようサイクルされると言われる。
【０２２９】
呼気の気道陽圧(ＥＰＡＰ)：、人工呼吸器が所与の時期に達成しようとする所望のマスク圧力の生成のために、呼吸内において変化する圧力が付加される基本圧力。
【０２３０】
終了時呼気圧力(ＥＥＰ)：呼吸の呼気部分の終了時において人工呼吸器が達成しようとする所望のマスク圧力。圧力波形テンプレートΠ（Φ）が呼気終了時にゼロの値である（すなわち、 Φ=１のときに Π（Φ）=０である場合）、ＥＥＰはＥＰＡＰに等しい。
【０２３１】
吸息の気道陽圧（ＩＰＡＰ）：呼吸の吸息部分時に人工呼吸器が達成しようとする最大の所望のマスク圧力。
【０２３２】
圧力補助：人工呼吸器吸気時における当該人工呼吸器呼気時における圧力増加を示す数であり、吸気時の最大値と、基本圧力との間の圧力差を主に意味する（例えば、ＰＳ＝ＩＰＡＰ−ＥＰＡＰ）。いくつかの文脈において、圧力補助とは、（人工呼吸器が実際に達成する差ではなく）人工呼吸器が達成しようとする差を意味する。
【０２３３】
サーボ人工呼吸器：患者換気を有しかつ目標換気を有する人工呼吸器であり、患者換気を目標換気に近づけるために圧力補助レベルを調節する。
【０２３４】
自発／タイミング（Ｓ／Ｔ）：自発呼吸している患者の呼吸の開始を検出しようとする、人工呼吸器または他のデバイスのモード。しかし、デバイスが所定期間の間に呼吸を検出できない場合、デバイスは、呼吸送達を自動的に開始する。
【０２３５】
スイング：圧力補助に相当する用語。
【０２３６】
トリガ：人工呼吸器が自発呼吸する患者へ空気の呼吸を送達する場合、患者自身が呼吸サイクルの呼吸部分を開始したとき、当該人工呼吸器が呼吸送達を行うようトリガされたと言う。
【０２３７】
典型的な最近の換気：典型的な最近の換気Ｖｔｙｐは、一定の所定の時間スケールにわたって最近の換気測定が密集する傾向となる一定範囲の値である。例えば、最近の履歴にわたる換気測定の中心的傾向の測定は、典型的な最近の換気の適切な値であり得る。
【０２３８】
５．４．４  解剖学的構造
５．４．４．１  顔の解剖学的構造
翼：外部の外壁または各鼻孔の「翼」（複数形：ａｌａｒ）
【０２３９】
Ａｌａｒｅ：鼻翼上の最外側の点。
【０２４０】
翼曲率（または翼頂）点：各翼の曲線状基準線における最後方点であり、翼および頬の結合によって形成される折り目において見受けられる。
【０２４１】
耳介：耳の視認できる部分全体。
【０２４２】
（鼻）骨格:鼻の骨格は、鼻骨、上顎骨の前頭突起および前頭骨の鼻部分を含む。
【０２４３】
（鼻）軟骨格：鼻の軟骨格は、中隔軟骨、外側軟骨、大軟骨および小軟骨を含む。
【０２４４】
鼻柱:鼻孔を分離する皮膚片であり、鼻尖点から上唇へ延びる。
【０２４５】
鼻柱角度:鼻孔の中点を通じて引かれる線と、鼻下点と交差しつつフランクフルト水平に対して垂直に引かれる線との間の角度。
【０２４６】
フランクフォート水平面:眼窩縁の最下側点から左耳点へ延びる線。耳点は、ノッチ上側から耳介の耳珠への最も深い点である。
【０２４７】
眉間:軟組織中に配置され、前額部の正中矢状において最も顕著な点。
【０２４８】
外側鼻軟骨:軟骨の概して三角形の板。その上側周縁は鼻骨および上顎骨の前頭突起へ取り付けられ、その下側周縁は大鼻翼軟骨へ接続される。
【０２４９】
唇、下側（下唇中点）：
【０２５０】
唇、上側（上唇点）:
大鼻翼軟骨:軟骨の板であり、外側鼻軟骨の下側に配置される。これは、鼻孔の前方部分の周囲において曲線状になる。その後端は、３つまたは４つの翼の小軟骨を含む強靱な線維膜により、上顎骨の前頭突起へ接続される。
【０２５１】
鼻孔（小鼻）:概して楕円体の翼穴であり、鼻腔への入口を形成する。鼻孔の単数形は鼻孔（小鼻）である。これらの鼻孔は、鼻隔膜によって分離される。
【０２５２】
鼻唇溝または鼻唇折り目:皮膚の折り目または溝であり、鼻の各側から口腔の角部へ延びて、頬を上唇から分離させる。
【０２５３】
鼻唇角:鼻柱と上唇との間の角度であり、鼻下点と交差する。
【０２５４】
下耳下縁点:耳介の顔の皮膚への取り付けの最低点。
【０２５５】
下耳上縁点:耳介の顔の皮膚への取り付けの最高点。
【０２５６】
鼻尖点:鼻の最も突出した点または先端であり、頭部の部分の残り部分の側面図中に確認され得る。
【０２５７】
人中:鼻隔膜の下側境界から上唇領域中の唇の上部へ延びる正中線溝。
【０２５８】
ポゴニオン:軟組織上に配置された、顎の最前方中点。
【０２５９】
鼻梁（鼻）:鼻堤は、鼻の正中線隆起であり、セリオンから鼻尖点へ延びる。
【０２６０】
矢状面:前方（前）から後方（後）へ続く垂直面であり、本体を右半分および左半分に分割する。
【０２６１】
セリオン:軟組織上に配置された、前頭鼻骨縫合の領域上の最も凹状の点である。
【０２６２】
中隔軟骨（鼻）:鼻中隔軟骨は、隔膜の一部であり、鼻腔の前部分を分割する。
【０２６３】
鼻翼最下点:翼ベースの下側周縁における点であり、翼ベースは上（上）唇の皮膚と接合する。
【０２６４】
鼻下点：軟組織上に配置され、鼻柱が正中矢状における上唇と合体する点。
【０２６５】
スプラメンターレ:下唇中点と軟組織ポゴニオンとの間の下唇の正中線中の最も凹状の点。
【０２６６】
５．４．４．２  頭蓋骨の解剖学的構造
前頭骨：前頭骨は、前額部として知られる領域に対応する大型垂直部分である前頭鱗を含む。
【０２６７】
下顎:下顎は、下側顎部を形成する。オトガイ隆起は、顎部の骨隆起であり、顎を形成する。
【０２６８】
上顎骨:上顎骨は、上側顎部を形成し、下顎の下側および眼窩の下側に配置される。上顎骨の前頭突起は、鼻の側部によって上方に突出し、その外側境界の部分を形成する。
【０２６９】
鼻骨:鼻骨は、２つの小さな長方形骨であり、個人によってサイズおよび形態が異なる。鼻骨は、顔の中間部分および上部分に並んで配置され、その接合により鼻の「ブリッジ」を形成する。
【０２７０】
ナジオン:前頭骨および２本の鼻骨の交差であり、眼と鼻のブリッジの上側との間に直接設けられた凹領域である。
【０２７１】
後頭骨:後頭骨は、頭蓋の裏および下側部分に配置される。後頭骨は、楕円穴である大後頭孔を含み、この穴を通じて、頭蓋内腔が椎管と連痛する。大後頭孔の後側の曲面板は、後頭鱗である。
【０２７２】
眼窩:頭蓋骨中の骨空洞であり、眼球を含む。
【０２７３】
頭頂骨：頭頂骨は、相互に接合されると頭蓋の頂部および側部を形成する骨である。
【０２７４】
側頭骨:側頭骨は、頭蓋骨のベースおよび側部上に配置され、こめかみとして知られる顔の部分を支持する。
【０２７５】
頬骨:顔に含まれる２つの頬骨は、顔の上側部分および外側部分中に配置され、頬の隆起を形成する。
【０２７６】
５．４．４．３  呼吸系の解剖学的構造
横隔膜:シート状の筋肉であり、胸郭下部上に延びる。横隔膜は、心臓、肺および肋骨を含む胸腔を腹腔から分離させる。横隔膜が収縮すると、胸腔の容量が増加し、肺中に空気が引き込まれる。
【０２７７】
喉頭:声帯ひだを収容する喉頭または発声器であり、咽頭の下部（下咽頭）を気管へ接続させる。
【０２７８】
肺:ヒトにおける呼吸臓器。肺の伝導性ゾーンは、気管、気管支、気管支、および終末細気管支を含む。呼吸ゾーンは、呼吸気管支、肺胞管および肺胞を含む。
【０２７９】
鼻腔:鼻腔（または鼻窩）は、顔の中央の鼻の上方および後方の空気が充填された大きな空間である。鼻腔は、鼻中隔と呼ばれる垂直フィンによって２つに分割される。鼻腔の側部には、鼻甲介（単数形は「甲介」）または鼻甲介と呼ばれる３つの水平伸長物がある。鼻腔の前方には鼻があり、後方は後鼻孔を介して鼻咽頭内に繋がる。
【０２８０】
咽頭:鼻腔の直接下側（下方）に配置されかつ食道および喉頭の上方に配置された咽喉の部分。咽頭は、従来から以下の３つの部分へ区分される：鼻咽頭（上咽頭）（咽頭の鼻部分）、中咽頭（中咽頭）（咽頭の口部分）、および咽喉（下咽頭）。
【０２８１】
５．４．５  患者インターフェース
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０２８２】
エルボー：エルボーは、内部を移動する空気の流れの軸を方向付けて、角度を通じて方向を変化させる構造の実施例である。一形態において、角度はおよそ９０度であり得る。別の形態において、角度は、９０度超過または未満であり得る。肘は、ほぼ円形の断面を持ち得る。別の形態において、肘は、楕円または矩形の断面を持ち得る。特定の形態において、エルボーは、噛み合い構成要素に対して例えば約３６０度で回転可能であり得る。特定の形態において、エルボーは、噛み合い構成要素から例えばスナップ接続を介して取り外すことが可能であり得る。特定の形態において、エルボーは、製造時にワンタイムスナップを介して噛み合い構成要素へ組み付けることが可能である一方、患者が取り外すことはできない。
【０２８３】
フレーム:フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０２８４】
ヘッドギア:ヘッドギアは、頭部上において使用されるように設計された、一形態の位置決めおよび安定化構造を意味するものとしてとられる。例えば、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および織物の層状複合材）によって形成される。
【０２８５】
膜:膜は、典型的には肉薄の要素を意味するものとしてとられ、好適には屈曲に対して実質的に抵抗せずかつ伸縮に対しては抵抗する。
【０２８６】
プレナムチャンバ:マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０２８７】
シール:名詞（「シール」）として用いられる場合は構造を指し得、動詞（「密閉（する）」）として用いられる場合はその効果を指し得る。２つの要素は、別個の「シール」要素自体を必要とすることなく両者間において「シール」するかまたは「密閉」効果を得るように、構築および／または配置され得る。
【０２８８】
シェル:シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０２８９】
補剛材:補剛材は、別の構成要素の剛軟度を少なくとも１つの方向において増加させるように設計された構造構成要素を意味するものとしてとられる。
【０２９０】
支柱:支柱は、別の構成要素の圧縮抵抗を少なくとも１つの方向において増加させるように設計された構造構成要素を意味するものとしてとられる。
【０２９１】
回り継ぎ手（名詞）構成要素のサブアセンブリであり、共通軸の周囲において好適には独立して好適には低トルク下において回転するように構成される。一形態において、回り継ぎ手は、少なくとも３６０度の角度で回転するように構成され得る。別の形態において、回り継ぎ手は、３６０度未満の角度で回転するように構成され得る。空気送達導管の文脈において用いられる場合、構成要素のサブアセンブリは好適には、一対組み合わせの円筒導管を含む。使用時において、回り継ぎ手からの空気漏れはほとんど無い。
【０２９２】
結び目(名詞):張力に抵抗するように設計された構造。
【０２９３】
通気：（名詞）：マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
【０２９４】
５．４．６  密閉形成構造
本技術による製品は、１つ以上の三次元機械構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面および外面のうち１つ以上を含み得る。別の実施例において、クッション構造は、顔を含む（例えば、外側の）表面と、別個の顔を含まない（例えば、下側または内側の）表面を含み得る。別の実施例において、構造は、第１の表面および第２の表面を含み得る。
【０２９５】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの実施例において、架空の小さな人が表面上に直立している観点から、この表面について説明する。
【０２９６】
５．４．６．１  一次元における曲率
ｐにおける平面曲線の曲率は、符号（例えば、正、負）および大きさ（例えば、ｐにおいて曲線に接する円形の１／半径）を持つものとして記述され得る。
【０２９７】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０２９８】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０２９９】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
【０３００】
５．４．６．２  二次元表面の曲率
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０３０１】
主要な曲率および方向：曲線の曲率が最大値および最小値をとる法平面の方向を主要な方向と呼ぶ。図３Ｂ〜図３Ｆの実施例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０３０２】
表面の領域：表面上の連結された点の集合。領域内のこの１組の点は、類似の特性（例えば、曲率または符号）を持ち得る。
【０３０３】
サドル領域：（上り坂または下り坂を歩行し得る架空の人が向く方向に応じて）各点において主要な曲率が反対の符号（すなわち、片方が正の符号および他方が負の符号）を有する領域。
【０３０４】
ドーム領域：各点において主要な曲率が同一符号（双方とも正（「凹状ドーム」）または双方とも負（「凸状ドーム」））を持つ領域。
【０３０５】
円筒領域：１つの主要な曲率がゼロ（または例えば製造交差内のゼロ）をとり、他方の主要な曲率が非ゼロである領域。
【０３０６】
平面領域：主要な曲率双方がゼロであるか（または例えば製造交差内のゼロである）表面の領域。
【０３０７】
表面の縁部：表面または領域の境界または限界。
【０３０８】
経路：本技術の特定の形態において、「経路」は、数学的−トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０３０９】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０３１０】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
【０３１１】
５．４．６．３  空間曲線
空間曲線:平面曲線と異なり、空間曲線は、任意の特定の平面内に必ずしも存在しない。空間曲線は、三次元空間の一次元ピースとみなされ得る。ＤＮＡ螺旋の鎖上を歩行している架空の人物は、空間曲線に沿って歩行する。典型的なヒトの左耳は、左手螺旋を含む（図３Ｐを参照）。典型的なヒトの右耳は、右手螺旋を含む（図３Ｑを参照）。図３Ｒは、右手螺旋を示す。構造の縁部（例えば、膜または羽根車の縁部）は、空間曲線をたどり得る。一般的に、空間曲線は、空間曲線上の各点における曲率およびねじれによって記述され得る。ねじれとは、平面から発生する曲線の様態の尺度である。ねじれは、符号および大きさを有する。空間曲線上の点におけるねじれは、当該点における接線ベクトル、法線ベクトルおよび従法線ベクトルに対して特徴付けられ得る。
【０３１２】
接線単位ベクトル（または単位接線ベクトル）：曲線上の各点について、当該点におけるベクトルは、当該点からの方向および大きさを指定する。接線単位ベクトルとは、当該点における曲線と同じ方向を向く単位ベクトルである。架空の人物が曲線に沿って飛行しており、特定の点において自身の車両から落ちた場合、接線ベクトルの方向は、その人物が移動しているはずの方向である。
【０３１３】
単位法線ベクトル：架空の人物が曲線に沿って移動している場合、この接線ベクトルそのものが変化する。接線ベクトルが変化している方向と同じ方向を向く単位ベクトルは、単位主法線ベクトルと呼ばれる。これは、接線ベクトルに対して垂直である。
【０３１４】
従法線単位ベクトル：従法線単位ベクトルは、接線ベクトルおよび主法線ベクトル双方に対して垂直である。その方向は、右手の法則（例えば図３Ｏを参照）または表すあるいは左手の法則（図３Ｎ）によって決定され得る。
【０３１５】
接触平面：単位接線ベクトルおよび単位主法線ベクトルを含む平面。図３Ｎおよび図３Ｏを参照されたい。
【０３１６】
空間曲線のねじれ：空間曲線の点におけるねじれとは、当該点における従法線単位ベクトルの変化速度の大きさである。これは、曲線の接触平面からの逸脱の程度を測定する。平面内にある空間曲線のねじれはゼロである。空間曲線の接触平面からの逸脱が比較的少量である場合、その空間曲線のねじれの大きさは比較的小さい（例えば、緩やかに傾斜する螺旋状経路）。空間曲線の接触平面からの逸脱が比較的大量である場合、その空間曲線のねじれの大きさは比較的大きい（例えば、急勾配に傾斜する螺旋状経路）。図３Ｒを参照して、Ｔ２＞Ｔ１であるため、図３Ｒの螺旋の最上部コイルの近隣のねじれの大きさは、図３Ｒの螺旋の最下部コイルのねじれの大きさよりも大きい。
【０３１７】
図３Ｏの右手の法則を参照して、右手従法線の方向に向かって曲がる空間曲線は、右手方向に正のねじれとしてみなされ得る（例えば、図３Ｒに示すような右手螺旋）。右手従法線方向から離隔方向を向く空間曲線は、右手の負のねじれを持つものとしてみなされ得る（例えば、左手螺旋）。
【０３１８】
同様に、左手の法則（図３Ｎを参照）を参照して、左手従法線方向を向く空間曲線は、左手の正のねじれ（例えば、左手螺旋）を持つものとしてみなされ得る。よって、左手の正の方向は、右手の負の方向に相当する。図３Ｓを参照されたい。
【０３１９】
５．４．６．４  穴
表面は、一次元穴を持ち得る（例えば、平面曲線または空間曲線によって境界付けられた穴）。穴を含む肉薄構造（例えば、膜）の場合、この構造は、一次元穴を有するものとして記述され得る。例えば、図３Ｉに示す構造の表面中の一次元穴が平面曲線３０１Ｄによって境界付けられる様子を参照されたい。
【０３２０】
構造は、二次元穴（例えば、表面によって境界付けられた穴）を持ち得る。例えば、可膨張性タイヤは、タイヤ内面によって境界付けられた二次元穴を有する。別の実施例において、空気またはゲルのための空洞を備えたブラダーは、二次元穴を持ち得る。例えば、図３Ｌのクッションと、図３Ｍ中のその例示的断面図とを参照されたい。さらに別の実施例において、導管は、（例えばその入口またはその出口において）一次元穴を含み得、導管の内面によって境界付けられた二次元穴を含み得る。図３Ｋに示す構造を通じておりかつ表面３０２Ｄによって境界付けられた二次元穴も参照されたい。
【０３２１】
５．５  他の注意事項
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０３２２】
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０３２３】
さらに、本明細書中に値（単数または複数）が本技術の一部として実行される場合、他に明記無き限り、このような値が近似され得、実際的な技術的実行が許容または要求する範囲まで任意の適切な有効桁までこのような値を用いることが可能であると理解される。
【０３２４】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０３２５】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０３２６】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０３２７】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０３２８】
詳細には、「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素またはステップが明記されていない他の要素、構成要素またはステップと共に存在、利用または結合され得ることを示す。
【０３２９】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０３３０】
本明細書中の技術について、特定の実施形態を参照して述べてきたが、これらの実施形態は本技術の原理および用途を例示したものに過ぎないことが理解されるべきである。いくつかの場合において、用語および記号は、本技術の実施に不要な特定の詳細を示し得る。例えば、「ｆｉｒｓｔ(第１の)」および「ｓｅｃｏｎｄ(第２の)」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
【０３３１】
よって、本技術の意図および範囲から逸脱することなく、例示的な実施例において多数の変更例が可能であり、また、他の配置構成が考案され得ることが理解されるべきである。
【０３３２】
【表３】
2018525077.tif 000005
【０３３３】
【表４】
2018525077.tif 000006
【図１Ａ】
2018525077.tif 000007
【図１Ｂ】
2018525077.tif 000008
【図１Ｃ】
2018525077.tif 000009
【図２Ａ】
2018525077.tif 000010
【図２Ｂ】
2018525077.tif 000011
【図２Ｃ】
2018525077.tif 000012
【図２Ｄ】
2018525077.tif 000013
【図２Ｅ】
2018525077.tif 000014
【図２Ｆ】
2018525077.tif 000015
【図２Ｇ】
2018525077.tif 000016
【図２Ｈ】
2018525077.tif 000017
【図２Ｉ】
2018525077.tif 000018
【図２Ｊ】
2018525077.tif 000019
【図２Ｋ】
2018525077.tif 000020
【図２Ｌ】
2018525077.tif 000021
【図３Ａ】
2018525077.tif 000022
【図３Ｂ】
2018525077.tif 000023
【図３Ｃ】
2018525077.tif 000024
【図３Ｄ】
2018525077.tif 000025
【図３Ｅ】
2018525077.tif 000026
【図３Ｆ】
2018525077.tif 000027
【図３Ｇ】
2018525077.tif 000028
【図３Ｈ】
2018525077.tif 000029
【図３Ｉ】
2018525077.tif 000030
【図３Ｊ】
2018525077.tif 000031
【図３Ｋ】
2018525077.tif 000032
【図３Ｌ】
2018525077.tif 000033
【図３Ｍ】
2018525077.tif 000034
【図３Ｎ】
2018525077.tif 000035
【図３Ｏ】
2018525077.tif 000036
【図３Ｐ】
2018525077.tif 000037
【図３Ｑ】
2018525077.tif 000038
【図３Ｒ】
2018525077.tif 000039
【図３Ｓ】
2018525077.tif 000040
【図４】
2018525077.tif 000041
【図５】
2018525077.tif 000042
【図６】
2018525077.tif 000043
【図７】
2018525077.tif 000044
【図８】
2018525077.tif 000045
【図９】
2018525077.tif 000046
【図１０】
2018525077.tif 000047
【図１１】
2018525077.tif 000048
【図１２】
2018525077.tif 000049
【図１３】
2018525077.tif 000050
【図１４】
2018525077.tif 000051
【図１５】
2018525077.tif 000052
【図１６】
2018525077.tif 000053
【図１７】
2018525077.tif 000054
【図１８】
2018525077.tif 000055
【図１９】
2018525077.tif 000056
【図２０】
2018525077.tif 000057
【図２１】
2018525077.tif 000058
【図２２】
2018525077.tif 000059
【図２３】
2018525077.tif 000060
【図２４】
2018525077.tif 000061
【図２５】
2018525077.tif 000062
【図２６】
2018525077.tif 000063
【図２７】
2018525077.tif 000064
【図２８】
2018525077.tif 000065
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
空気流れを周囲空気圧力に対して連続的に陽圧において少なくとも患者の鼻孔入口を含む前記患者の気道への入口へ密閉された様態で送達するための患者インターフェースであって、前記患者インターフェースは、使用時において前記患者の睡眠時の前記患者の呼吸サイクル全体において周囲空気圧力よりも高い約４ｃｍＨ２Ｏ〜約３０ｃｍＨ２Ｏの範囲の治療圧力を維持し、睡眠時呼吸障害が改善されるように構成され；
前記患者インターフェースは：
前記患者の鼻および／または口腔の周囲のシールを形成するように適合されたクッションアセンブリであって、前記クッションアセンブリは、使用時において周囲圧力を超える圧力で加圧されるプレナムチャンバを規定する、クッションアセンブリと；
患者が呼息したＣＯ２の再呼吸を最小化させるために、前記患者が呼息したＣＯ２が前記患者インターフェースの外部へ流れることを可能にするように構成されたガス逃がし孔と；および
前記プレナムチャンバの有効内容積を低減させるように前記プレナムチャンバ内に設けられた少なくとも１つの減容部材と、を含み、
前記少なくとも１つの減容部材は、前記治療圧力を送達するための前記プレナムチャンバの主要体積をデッドスペース体積から分離するように、配置され、前記主要体積は、少なくとも前記患者の前記鼻孔入口及び前記孔と直接流体連通するように適合される、患者インターフェース。
【請求項２】
前記少なくとも１つの減容部材は、前記患者が再呼吸するＣＯ２の体積を低減させるように配置される、請求項１に記載の患者インターフェース。
【請求項３】
前記少なくとも１つの減容部材は、前記シールを変化させることなく前記プレナムチャンバの有効内容積を低減させるように配置される、請求項１〜２のうちいずれか１つに記載の患者インターフェース。
【請求項４】
前記少なくとも１つの減容部材は、１つ以上の可動フラップを含む、請求項１〜３のうちいずれか１つに記載の患者インターフェース。
【請求項５】
前記１つ以上の可動フラップは、前記プレナムチャンバを主要チャンバと、前記主要チャンバから分離されかつ前記主要チャンバと別個である少なくとも１つの周辺チャンバとに分離または分割し、前記主要チャンバは、少なくとも前記患者の前記鼻孔入口及び前記孔と直接流体連通するように適合される、請求項４に記載の患者インターフェース。
【請求項６】
前記少なくとも１つの周辺チャンバは、前記デッドスペース体積を前記プレナムチャンバ内に含む、請求項５に記載の患者インターフェース。
【請求項７】
前記少なくとも１つの周辺チャンバは、前記主要チャンバから区画される、請求項５〜６のうちいずれか１つに記載の患者インターフェース。
【請求項８】
前記プレナムチャンバの有効内容積は、前記主要チャンバの体積まで低減される、請求項５〜７のうちいずれか１つに記載の患者インターフェース。
【請求項９】
前記１つ以上の可動フラップは、前記患者の鼻孔入口の概して上方に配置されるように適合された周辺チャンバを確立するように配置された上側可動フラップまたは上部可動フラップを含む、請求項５〜８のうちいずれか１つに記載の患者インターフェース。
【請求項１０】
前記１つ以上の可動フラップは、前記患者の下唇の概して下側に配置されるように適合された周辺チャンバを確立するように配置された下側可動フラップまたは下部可動フラップを含む、請求項５〜９のうちいずれか１つに記載の患者インターフェース。
【請求項１１】
前記可動フラップはそれぞれ、前記患者の顔へ向かって方向付けられるように適合された自由端部を含む、請求項４〜１０のうちいずれか１つに記載の患者インターフェース。
【請求項１２】
前記可動フラップはそれぞれ、比較的可撓性であり、前記可動フラップが前記患者の顔に適合するように変形および／または撓むことを可能にするように適合される、請求項１１に記載の患者インターフェース。
【請求項１３】
前記プレナムチャンバ内の熱／水分交換器をさらに含む、請求項１〜１２のうちいずれか１つに記載の患者インターフェース。
【請求項１４】
前記クッションアセンブリは、前壁部位および密閉形成構造を含む、請求項１〜１３のうちいずれか１つに記載の患者インターフェース。
【請求項１５】
前記前壁部位は前記孔を含む、請求項１４に記載の患者インターフェース。
【請求項１６】
前記少なくとも１つの減容部材は、前記前壁部位へ設けられる、請求項１４〜１５のうちいずれか１つに記載の患者インターフェース。
【請求項１７】
前記少なくとも１つの減容部材は、前記患者の口腔への前記入口の下側へ設けられた不要なデッドスペース体積から前記主要体積を分離させるように配置される、請求項１〜１６のうちいずれか１つに記載の患者インターフェース。
【請求項１８】
前記少なくとも１つの減容部材は、エラストマー材料によって構成される、請求項１〜１７のうちいずれか１つに記載の患者インターフェース。
【請求項１９】
前記少なくとも１つの減容部材により、患者吸気および患者呼気が前記患者の呼吸サイクル全体において前記主要体積を介して発生するように、流れバイアスが生成される、請求項１〜１８のうちいずれか１つに記載の患者インターフェース。
【請求項２０】
前記少なくとも１つの減容部材は、前記患者の呼吸サイクル全体において前記デッドスペース体積から離隔方向に流れをバイアスする、請求項１〜１９のうちいずれか１つに記載の患者インターフェース。
【請求項２１】
前記デッドスペース体積は加圧され、前記クッションアセンブリの空気圧式密閉を提供する、請求項１〜２０のうちいずれか１つに記載の患者インターフェース。
【請求項２２】
前記少なくとも１つの減容部材は、前記主要体積と前記デッドスペース体積との間の流れを塞ぐような構造および配置にされた１つ以上の流れ方向付け部材を含む、請求項１〜２１のうちいずれか１つに記載の患者インターフェース。
【請求項２３】
前記少なくとも１つの減容部材は、前記プレナムチャンバを主要チャンバと、前記主要チャンバから分離されかつ前記主要チャンバと別個である少なくとも１つの周辺チャンバとに分離または分割させ、前記主要チャンバは、少なくとも前記患者の前記鼻孔入口及び前記孔と直接流体連通するように適合される、請求項１〜２２のうちいずれか１つに記載の患者インターフェース。
【請求項２４】
前記少なくとも１つの周辺チャンバの加圧を可能にするように配置された１つ以上の加圧ポートをさらに含む、請求項２３のうちいずれか１つに記載の患者インターフェース。
【請求項２５】
前記プレナムチャンバ内の熱／水分交換器をさらに含み、前記１つ以上の加圧ポートは、前記熱／水分交換器の前側に配置される、請求項２４に記載の患者インターフェース。
【請求項２６】
前記少なくとも１つの減容部材は、前記患者の顔から間隔を空けて配置されるように適合された端部を含む隔壁部材を含む、請求項１に記載の患者インターフェース。
【請求項２７】
前記少なくとも１つの減容部材は、患者の顔と共に密閉を形成するように適合された端部を含む密閉部材を含む、請求項１に記載の患者インターフェース。
【国際調査報告】
2018525077.tif 000066
2018525077.tif 000067
2018525077.tif 000068